(57)【要約】【課題】適切かつ容易に工事現場を管理することが可能な免許統合システムを提供すること。【解決手段】本願の開示する免許統合システムによれば、管理装置１の制御部１１が、作業員Ａが所有する作業員端末から通信部１６経由でリンク：「免許画像」がタップされた旨の通知を受け取った場合に、作業員情報ＤＢから作業員Ａが保有するライセンスの画像データを読み出し、その後、制御部１１と作業員Ａの作業員端末が連携して、上記で読み出した画像データに基づいて作業員Ａの保有ライセンス画像を閲覧することが可能なページを生成する処理、および生成したページを表示させるための表示制御、を実行することとした。【選択図】図２
2017107400.tif 000002
【特許請求の範囲】
【請求項１】
複数の無線端末装置と、作業員を特定するための情報である作業員情報を管理する管理装置とを有し、前記無線端末装置と前記管理装置が無線ネットワークを介して相互に通信可能な免許統合システムにおいて、
前記管理装置が、作業員が保有する単一または複数の免許証の画像データを含む前記作業員情報が作業員毎に記憶された作業員情報ＤＢと、前記無線端末装置との通信により当該無線端末装置のディスプレイに所望の画面を表示させるための制御を行う制御部と、を備え、
前記無線端末装置が、前記ディスプレイである表示部と、前記管理装置との通信により前記表示部に所望の画面を表示させるための制御を行う端末制御部と、を備え、
前記制御部は、
作業員が所有する前記無線端末装置の１つ（以後、免許表示依頼端末と呼ぶ）から免許証の画像の表示を要求する旨の通知を受け取った場合に、前記作業員情報ＤＢから前記免許表示依頼端末を所有する作業員の免許証の画像データを読み出し、
前記読み出した画像データに基づいて免許証の画像を前記免許表示依頼端末の表示部に表示させるための制御を、前記免許表示依頼端末の端末制御部と連携して行う、
ことを特徴とする免許統合システム。
【請求項２】
前記管理装置が、さらに、求人に応募するために必要な資格の情報である資格情報を含む求人情報が記憶された求人情報ＤＢを備えることとし、
前記制御部は、
作業員が所有する前記無線端末装置の１つ（以後、求人表示依頼端末と呼ぶ）から求人の表示を要求する旨の通知を受け取った場合に、前記作業員情報ＤＢから前記求人表示依頼端末を所有する作業員が保有する免許証の情報を読み出し、保有免許証のリストを生成し、さらに、当該保有免許証のリストと前記求人情報ＤＢに記憶された求人情報に含まれた資格情報とを求人毎に比較し、比較結果に基づいて現時点において応募可能な求人を抽出し、
前記抽出した求人を前記求人表示依頼端末の表示部に表示させるための制御を、前記求人表示依頼端末の端末制御部と連携して行う、
ことを特徴とする請求項１に記載の免許統合システム。
【請求項３】
前記作業員情報ＤＢに、作業員が解いた過去問の情報を解答履歴として蓄積する記憶領域を設けることとし、前記管理装置が、さらに、資格試験毎に複数の過去問と過去問の正解が対応付けられた状態で記憶された過去問ＤＢを備えることとし、
前記制御部は、
作業員が所有する前記無線端末装置の１つ（以後、過去問表示依頼端末と呼ぶ）から特定の資格試験の過去問の表示を要求する旨の通知を受け取った場合に、前記作業員情報ＤＢから前記過去問表示依頼端末を所有する作業員の解答履歴を読み出し、さらに、当該解答履歴に基づいて前記過去問ＤＢから作業員が未解答の過去問を読み出し、
前記読み出した過去問を前記過去問表示依頼端末の表示部に表示させるための制御を、前記過去問表示依頼端末の端末制御部と連携して行い、
さらに、前記過去問表示依頼端末から作業員の出した解答を受け取った場合に、前記過去問ＤＢから過去問の正解を読み出し、当該正解と作業員の出した解答とを比較することにより作業員の出した解答の正誤を判断し、
正誤判断結果および正解を前記過去問表示依頼端末の表示部に表示させるための制御を、前記過去問表示依頼端末の端末制御部と連携して行い、
その後、前記過去問ＤＢから読み出す過去問を順次更新しながら、過去問を表示させるための制御を継続し、前記過去問表示依頼端末から当該継続を中止する旨の通知を受け取った場合に、作業員が解いた過去問の情報を前記解答履歴として前記作業員情報ＤＢに蓄積し、過去問を表示させるための制御を終了する、
ことを特徴とする請求項１または２に記載の免許統合システム。
【請求項４】
前記管理装置が、さらに、現場責任者を特定するための情報である責任者情報が責任者毎に記憶された責任者情報ＤＢを備え、
前記制御部は、
現場責任者が所有する前記無線端末装置の１つ（以後、免許検索依頼端末と呼ぶ）からライセンス検索を要求する旨の通知を受け取った場合に、前記責任者情報ＤＢから前記現場責任者が管理する現場を読み出し、さらに、前記作業員情報ＤＢから前記現場責任者が管理する現場に配置されたすべての作業員名を読み出して作業員リストを生成し、
前記作業員リストを前記免許検索依頼端末の表示部に表示させるための制御を、前記免許検索依頼端末の端末制御部と連携して行い、
さらに、前記作業員リストの中から特定の作業員が選択された旨の通知を受け取った場合に、前記作業員情報ＤＢから、選択された作業員の免許証の画像データを読み出し、
前記読み出した画像データに基づいて免許証の画像を前記免許検索依頼端末の表示部に表示させるための制御を、前記免許検索依頼端末の端末制御部と連携して行う、
ことを特徴とする請求項１、２または３に記載の免許統合システム。
【請求項５】
複数の無線端末装置と管理装置が無線ネットワークを介して相互に通信可能な免許統合システムにおいて、作業員を特定するための情報である作業員情報を管理する前記管理装置であって、
作業員が保有する単一または複数の免許証の画像データを含む前記作業員情報が作業員毎に記憶された作業員情報ＤＢと、
前記無線端末装置との通信により当該無線端末装置のディスプレイに所望の画面を表示させるための制御を行う制御部と、
を備え、
前記制御部は、
作業員が所有する前記無線端末装置の１つ（以後、免許表示依頼端末と呼ぶ）から免許証の画像の表示を要求する旨の通知を受け取った場合に、前記作業員情報ＤＢから前記免許表示依頼端末を所有する作業員の免許証の画像データを読み出し、
前記読み出した画像データに基づいて免許証の画像を前記免許表示依頼端末のディスプレイに表示させるための制御を、前記免許表示依頼端末と連携して行う、
ことを特徴とする管理装置。
【請求項６】
求人に応募するために必要な資格の情報である資格情報を含む求人情報が記憶された求人情報ＤＢ、
をさらに備え、
前記制御部は、
作業員が所有する前記無線端末装置の１つ（以後、求人表示依頼端末と呼ぶ）から求人の表示を要求する旨の通知を受け取った場合に、前記作業員情報ＤＢから前記求人表示依頼端末を所有する作業員が保有する免許証の情報を読み出し、保有免許証のリストを生成し、さらに、当該保有免許証のリストと前記求人情報ＤＢに記憶された求人情報に含まれた資格情報とを求人毎に比較し、比較結果に基づいて現時点において応募可能な求人を抽出し、
前記抽出した求人を前記求人表示依頼端末のディスプレイに表示させるための制御を、前記求人表示依頼端末と連携して行う、
ことを特徴とする請求項５に記載の管理装置。
【請求項７】
前記作業員情報ＤＢに、作業員が解いた過去問の情報を解答履歴として蓄積する記憶領域を設け、
資格試験毎に複数の過去問と過去問の正解が対応付けられた状態で記憶された過去問ＤＢをさらに備え、
前記制御部は、
作業員が所有する前記無線端末装置の１つ（以後、過去問表示依頼端末と呼ぶ）から特定の資格試験の過去問の表示を要求する旨の通知を受け取った場合に、前記作業員情報ＤＢから前記過去問表示依頼端末を所有する作業員の解答履歴を読み出し、さらに、当該解答履歴に基づいて前記過去問ＤＢから作業員が未解答の過去問を読み出し、
前記読み出した過去問を前記過去問表示依頼端末のディスプレイに表示させるための制御を、前記過去問表示依頼端末と連携して行い、
さらに、前記過去問表示依頼端末から作業員の出した解答を受け取った場合に、前記過去問ＤＢから過去問の正解を読み出し、当該正解と作業員の出した解答とを比較することにより作業員の出した解答の正誤を判断し、
正誤判断結果および正解を前記過去問表示依頼端末の表示部に表示させるための制御を、前記過去問表示依頼端末と連携して行い、
その後、前記過去問ＤＢから読み出す過去問を順次更新しながら、過去問を表示させるための制御を継続し、前記過去問表示依頼端末から当該継続を中止する旨の通知を受け取った場合に、作業員が解いた過去問の情報を前記解答履歴として前記作業員情報ＤＢに蓄積し、過去問を表示させるための制御を終了する、
ことを特徴とする請求項５または６に記載の管理装置。
【請求項８】
現場責任者を特定するための情報である責任者情報が責任者毎に記憶された責任者情報ＤＢ、
をさらに備え、
前記制御部は、
現場責任者が所有する前記無線端末装置の１つ（以後、免許検索依頼端末と呼ぶ）からライセンス検索を要求する旨の通知を受け取った場合に、前記責任者情報ＤＢから前記現場責任者が管理する現場を読み出し、さらに、前記作業員情報ＤＢから前記現場責任者が管理する現場に配置されたすべての作業員名を読み出して作業員リストを生成し、
前記作業員リストを前記免許検索依頼端末のディスプレイに表示させるための制御を、前記免許検索依頼端末と連携して行い、
さらに、前記作業員リストの中から特定の作業員が選択された旨の通知を受け取った場合に、前記作業員情報ＤＢから、選択された作業員の免許証の画像データを読み出し、
前記読み出した画像データに基づいて免許証の画像を前記免許検索依頼端末のディスプレイに表示させるための制御を、前記免許検索依頼端末と連携して行う、
ことを特徴とする請求項５、６または７に記載の管理装置。
【請求項９】
請求項１に記載の免許統合システムにおいて、免許表示依頼端末として動作する、
ことを特徴とする無線端末装置。
【請求項１０】
請求項２に記載の免許統合システムにおいて、求人表示依頼端末として動作する、
ことを特徴とする無線端末装置。
【請求項１１】
請求項３に記載の免許統合システムにおいて、過去問表示依頼端末として動作する、
ことを特徴とする無線端末装置。
【請求項１２】
請求項３に記載の免許統合システムにおいて、免許検索依頼端末として動作する、
ことを特徴とする無線端末装置。
【請求項１３】
複数の無線端末装置と、作業員を特定するための情報である作業員情報を管理する管理装置とを有し、前記無線端末装置と前記管理装置が無線ネットワークを介して相互に通信可能な免許統合システムにおける免許統合方法であって、
前記管理装置が、作業員が保有する単一または複数の免許証の画像データを含む前記作業員情報が作業員毎に記憶された作業員情報ＤＢ、を備える場合において、
前記管理装置が、作業員が所有する前記無線端末装置の１つ（以後、免許表示依頼端末と呼ぶ）から免許証の画像の表示を要求する旨の通知を受け取った場合に、前記作業員情報ＤＢから前記免許表示依頼端末を所有する作業員の免許証の画像データを読み出す免許証画像データ読み出しステップと、
前記管理装置と前記免許表示依頼端末が相互の通信により連携して、前記免許証画像データ読み出しステップにおいて読み出された画像データに基づいて免許証の画像を前記免許表示依頼端末のディスプレイに表示させるための制御を行う免許証表示ステップと、
を含むことを特徴とする免許統合方法。
【請求項１４】
前記管理装置が、さらに、求人に応募するために必要な資格の情報である資格情報を含む求人情報が記憶された求人情報ＤＢ、を備える場合において、
前記管理装置が、作業員が所有する前記無線端末装置の１つ（以後、求人表示依頼端末と呼ぶ）から求人の表示を要求する旨の通知を受け取った場合に、前記作業員情報ＤＢから前記求人表示依頼端末を所有する作業員が保有する免許証の情報を読み出し、保有免許証のリストを生成し、さらに、当該保有免許証のリストと前記求人情報ＤＢに記憶された求人情報に含まれた資格情報とを求人毎に比較し、比較結果に基づいて現時点において応募可能な求人を抽出する求人抽出ステップと、
前記管理装置と前記求人表示依頼端末が相互の通信により連携して、前記求人ステップにおいて抽出された求人を前記求人表示依頼端末のディスプレイに表示させるための制御を行う求人表示ステップと、
を含むことを特徴とする請求項１３に記載の免許統合方法。
【請求項１５】
前記作業員情報ＤＢに、作業員が解いた過去問の情報を解答履歴として蓄積する記憶領域を設け、前記管理装置が、さらに、資格試験毎に複数の過去問と過去問の正解が対応付けられた状態で記憶された過去問ＤＢを備える場合において、
前記管理装置が、作業員が所有する前記無線端末装置の１つ（以後、過去問表示依頼端末と呼ぶ）から特定の資格試験の過去問の表示を要求する旨の通知を受け取った場合に、前記作業員情報ＤＢから前記過去問表示依頼端末を所有する作業員の解答履歴を読み出し、さらに、当該解答履歴に基づいて前記過去問ＤＢから作業員が未解答の過去問を読み出す過去問読み出しステップと、
前記管理装置と前記過去問表示依頼端末が相互の通信により連携して、前記過去問読み出しステップにおいて読み出された過去問を前記過去問表示依頼端末のディスプレイに表示させるための制御を行う過去問表示ステップと、
前記管理装置が、前記過去問表示依頼端末から作業員の出した解答を受け取った場合に、前記過去問ＤＢから過去問の正解を読み出し、当該正解と作業員の出した解答とを比較することにより作業員の出した解答の正誤を判断する正誤判断ステップと、
前記管理装置と前記過去問表示依頼端末が相互の通信により連携して、前記正誤判断ステップにおける正誤判断結果および正解を前記過去問表示依頼端末のディスプレイに表示させるための制御を行う解答表示ステップと、
を含み、
前記各ステップを実行後、前記過去問ＤＢから読み出す過去問を順次更新しながら、過去問を表示させるための制御を継続し、前記管理装置が、前記過去問表示依頼端末から当該継続を中止する旨の通知を受け取った場合に、作業員が解いた過去問の情報を前記解答履歴として前記作業員情報ＤＢに蓄積し、過去問を表示させるための制御を終了する、
ことを特徴とする請求項１３または１４に記載の免許統合方法。
【請求項１６】
前記管理装置が、さらに、現場責任者を特定するための情報である責任者情報が責任者毎に記憶された責任者情報ＤＢ、を備える場合において、
前記管理装置が、現場責任者が所有する前記無線端末装置の１つ（以後、免許検索依頼端末と呼ぶ）からライセンス検索を要求する旨の通知を受け取った場合に、前記責任者情報ＤＢから前記現場責任者が管理する現場を読み出し、さらに、前記作業員情報ＤＢから前記現場責任者が管理する現場に配置されたすべての作業員名を読み出して作業員リストを生成する作業員リスト生成ステップと、
前記管理装置と前記免許検索依頼端末が相互の通信により連携して、前記作業員リストを前記免許検索依頼端末のディスプレイに表示させるための制御を行う作業員リスト表示ステップと、
前記作業員リストの中から特定の作業員が選択された旨の通知を受け取った場合に、前記作業員情報ＤＢから、選択された作業員の免許証の画像データを読み出す免許検索読み出しステップと、
前記管理装置と前記免許検索依頼端末が相互の通信により連携して、前記免許検索読み出しステップにおいて読み出された画像データに基づいて免許証の画像を前記免許検索依頼端末のディスプレイに表示させるための制御を行う免許検索表示ステップと、
を含むことを特徴とする請求項１３、１４または１５に記載の免許統合方法。
【発明の詳細な説明】
【技術分野】
【０００１】
本発明は、作業員が保有する免許（ライセンス）を管理および運用するための免許統合システムに関する。
【背景技術】
【０００２】
工事現場には毎日多くの作業員（有資格，無資格等）が出入りしている。また、当日行われる作業内容によっては、出入りする作業員が異なることが多い。このような状況は、現場の規模が大きくなるほど顕著である。すなわち、作業員の入れ替わりの多い大規模な現場では、作業員の本人確認を正確に行いながら現場を管理することが非常に困難な状況となっており、簡易な方法で現場を管理することができるシステムの開発が急がれている。
【０００３】
一方で、従来の技術として、本人の居場所に制約されることなく本人確認が行える認証技術が開示されている（特許文献１）。特許文献１では、利用者が、携帯電話に搭載されているカメラやマイク機能を利用し、利用者本人を撮影した静止画像や映像さらには入力した音声などの本人情報を、認証機構側またはサービス提供者側の情報処理装置に予め登録しておく。そして、情報処理装置が、登録済みの本人情報および利用者の携帯電話から送られてくる認証情報に基づいて、本人確認を行う。なお、利用者の携帯電話は、認証情報を送る際に、ＧＰＳ等の位置検索機能を利用して位置情報および時間情報を付加した認証情報を情報処理装置に送る。これにより、情報処理装置は、本人の居場所や時間等に制約されることなく、本人確認を行うことが可能となる。
【０００４】
たとえば、工事現場で働く作業員に特許文献１に記載の携帯電話を持たせることにより、現場の管理者は、作業員の入れ替わりの多い大規模な現場であっても、容易に本人確認を行うことが可能となる。
【先行技術文献】
【特許文献】
【０００５】
【特許文献１】特開２００７−１７２００２号公報
【発明の概要】
【発明が解決しようとする課題】
【０００６】
しかしながら、上記特許文献１に記載された認証処理は、あくまでも本人確認を行うためのものであり、たとえば、認証処理を利用してどのようなサービスが提供できるか、ということまでは開示されていない。たとえば、工事現場においては作業ごとに様々な資格（免許証）が必要となるが、上記特許文献１に記載された技術は、各作業員が保有する資格まで把握して、現場を管理することができるわけではない。
【０００７】
すなわち、上記特許文献１に記載された技術は、正確に本人確認が行える点で優れているが、一方で、多くの作業員が入れ替わり出入りするような工事現場に適用した場合には、たとえば、どこにどのような資格を持った作業員が配置されているか、作業に必要な資格を保有しているか等、より詳細な本人情報を把握することができない点において、工事現場の管理に適した技術であるとはいえず、さらなる改善の余地がある。
【０００８】
本発明は、上記に鑑みてなされたものであって、適切かつ容易に工事現場を管理することが可能な免許統合システム、管理装置、無線端末装置および免許統合方法を提供することを目的とする。
【課題を解決するための手段】
【０００９】
上述した課題を解決し、目的を達成するために、本願の開示によれば、複数の無線端末装置と、作業員を特定するための情報である作業員情報を管理する管理装置とを有し、前記無線端末装置と前記管理装置が無線ネットワークを介して相互に通信可能な免許統合システムにおいて、前記管理装置が、作業員が保有する単一または複数の免許証の画像データを含む前記作業員情報が作業員毎に記憶された作業員情報ＤＢと、前記無線端末装置との通信により当該無線端末装置のディスプレイに所望の画面を表示させるための制御を行う制御部と、を備え、前記無線端末装置が、前記ディスプレイである表示部と、前記管理装置との通信により前記表示部に所望の画面を表示させるための制御を行う端末制御部と、を備え、前記制御部は、作業員が所有する前記無線端末装置の１つ（以後、免許表示依頼端末と呼ぶ）から免許証の画像の表示を要求する旨の通知を受け取った場合に、前記作業員情報ＤＢから前記免許表示依頼端末を所有する作業員の免許証の画像データを読み出し、前記読み出した画像データに基づいて免許証の画像を前記免許表示依頼端末の表示部に表示させるための制御を、前記免許表示依頼端末の端末制御部と連携して行う、ことを特徴とする。
【発明の効果】
【００１０】
本願の開示する免許統合システムの一つの態様によれば、適切かつ容易に工事現場を管理することができる、という効果を奏する。
【図面の簡単な説明】
【００１１】
【図１】図１は、免許統合システムの実施例１の構成の一例を示す図である。
【図２】図２は、管理装置として動作するコンピュータのハードウェア構成例を示す図である。
【図３】図３は、作業員端末の一例であるスマートフォンのハードウェア構成例を示す図である。
【図４−１】図４−１は、保有ライセンス確認処理の一例を示すフローチャートである。
【図４−２】図４−２は、保有ライセンス確認処理の一例を示すフローチャートである。
【図５】図５は、作業員情報ＤＢの構成例を示す図である。
【図６】図６は、保有ライセンス確認処理のイメージを示す図である。
【図７−１】図７−１は、求人広告表示処理の一例を示すフローチャートである。
【図７−２】図７−２は、求人広告表示処理の一例を示すフローチャートである。
【図８】図８は、求人情報ＤＢの構成例を示す図である。
【図９】図９は、求人広告表示処理のイメージを示す図である。
【図１０−１】図１０−１は、資格取得支援処理の一例を示すフローチャートである。
【図１０−２】図１０−２は、資格取得支援処理の一例を示すフローチャートである。
【図１１】図１１は、過去問ＤＢの構成例を示す図である。
【図１２】図１２は、資格取得支援処理のイメージを示す図である。
【図１３】図１３は、免許統合システムの実施例４の構成の一例を示す図である。
【図１４】図１４は、責任者端末３の一例であるスマートフォンのハードウェア構成例を示す図である。
【図１５−１】図１５−１は、ライセンス検索処理の一例を示すフローチャートである。
【図１５−２】図１５−２は、ライセンス検索処理の一例を示すフローチャートである。
【図１６】図１６は、責任者情報ＤＢの構成例を示す図である。
【図１７】図１７は、ライセンス検索処理のイメージを示す図である。
【図１８】図１８は、災害情報ＤＢの構成例を示す図である。
【図１９】図１９は、現場のライセンス保有者の状況を表す表示画面の一例を示す図である。
【図２０】図２０は、現場のライセンス保有者の状況を表す表示画面の一例を示す図である。
【図２１】図２１は、現場のライセンス保有者の状況を表す表示画面の一例を示す図である。
【図２２】図２２は、現場のライセンス保有者の状況を表す表示画面の一例を示す図である。
【図２３】図２３は、ライセンス保有者検索処理の一例を示す図である。
【図２４】図２４は、簡易ライセンス検索処理の一例を示す図である。
【図２５】図２５は、管理装置が提供する情報の一例を示す図である。
【図２６】図２６は、管理装置が提供する情報の一例を示す図である。
【図２７】図２７は、携帯情報端末を持たない作業員の作業員情報の登録方法の一例を示す図である。
【発明を実施するための形態】
【００１２】
以下に、本願の開示する免許統合システムの実施例を図面に基づいて詳細に説明する。なお、この実施例によりこの発明が限定されるものではない。
【実施例１】
【００１３】
図１は、免許統合システムの実施例１の構成の一例を示す図である。本実施例の免許統合システムは、建築等の工事現場（図示の現場Ａ，Ｂ，Ｃ…）で作業を行う作業員（職人）が保有する免許（ライセンス）を一括管理する管理装置１と、各作業員がそれぞれ所有する作業員端末２が、インターネット等のネットワーク５を介して接続された構成をとり、たとえば、作業員が作業員端末２を操作することによって、本人が保有するライセンスを閲覧可能とするものである。なお、本実施例において利用可能な作業員端末２は、具体的には、スマートフォン，タブレット端末，３Ｇ／４Ｇ等の携帯電話等に代表される携帯情報端末や、ノートパソコン等の携帯可能な通信端末を想定する。また、管理装置１において管理するライセンスは、国家資格，法に基づく資格，民間資格，公的資格，技能講習や特別教育等に基づく資格，等々、所定の機関が発行するすべての資格を含むものとする。
【００１４】
図２は、本実施例の管理装置１として動作するコンピュータのハードウェア構成例を示す図である。図２において、管理装置１は、ＣＰＵ（Central  Processing  Unit）およびＦＰＧＡ（Field  Programmable  Gate  Array）等で構成される制御部１１と、ＲＯＭ（Read  Only  Memory），ＲＡＭ（Random  Access  Memory）等の各種メモリを含む記憶部１２と、キーボードおよびマウス等のユーザインタフェースを含む入力部１３と、印刷等の出力処理を行う出力部１４と、ディスプレイである表示部１５と、所定のネットワーク５を介して外部と通信を行う通信部１６とを備える。なお、図２では、キーボードおよびマウス等のユーザインタフェースを含む入力部１３を備えることとしたが、本実施例の管理装置１は、これに限らず、表示部１５にタッチパネルの機能を持たせることによって、入力部１３を設けない構成、または入力部１３と併用する構成としてもよい。
【００１５】
図２において、制御部１１は、本実施例の免許統合システムにおける各種機能を実現するために、所定のプログラムを実行する。記憶部１２は、ＲＯＭ，ＲＡＭ等の内部メモリを含み、本実施例の各種機能に対応した処理および各種入力情報や、処理の過程で得られたデータ等を記憶する。制御部１１では、記憶部１２に記憶されているプログラムを読み出すことにより本実施例の各種機能に対応する処理を実行する。なお、記憶部１２は、内部メモリに限るものではなく、たとえば、ＤＶＤ（Digital  Versatile  Disc）やＳＤメモリ等の外部記憶媒体であってもよいし、また、内部メモリおよび外部記憶媒体（ＤＶＤやＳＤメモリ等）の両方で構成されることとしてもよい。また、本実施例の管理装置１のハードウェア構成は、説明の便宜上、本実施例の処理にかかわる構成を列挙したものであり、管理装置１を構成するコンピュータのすべての機能を表現したものではない。
【００１６】
図３は、作業員端末２の一例であるスマートフォンのハードウェア構成例を示す図である。図３において、本実施例の作業員端末２は、端末制御部２１と、ＲＯＭおよびＲＡＭ等の内部メモリを含む記憶部２２と、無線通信部２３と、音声入出力部２４と、タッチ式表示部２５と、電源部２６と、カメラ部２７とを有する。
【００１７】
端末制御部２１は、本実施例の各種機能を実現するため、所定のプログラムを実行する。記憶部２２は、本実施例の各種機能に対応した処理および各種入力情報や、処理の過程で得られたデータ等を記憶する。無線通信部２３は、端末制御部２１の制御により通話データや通信データ等を送受信する。また、無線通信部２３は、端末制御部２１の制御により各種無線通信技術（ＮＦＣ，ＧＰＳ，Ｂｌｕｅｔｏｏｔｈ（登録商標、以下注記を省略），Ｗｉ−Ｆｉ等）にも対応可能である。また、音声入出力部２４は、端末制御部２１の制御により、スピーカへの音声出力処理（ＯＮ／ＯＦＦ処理）およびマイクからの音声入力処理（ＯＮ／ＯＦＦ処理）を行う。タッチ式表示部２５は、タッチパネルを採用したディスプレイであり、端末制御部２１と連携して、画面の表示処理およびタッチ操作（タップ）による入力処理等を行う。また、電源部２６は端末本体を駆動させるためのバッテリーであり、カメラ部２７は静止画および動画を撮影可能なカメラである。なお、本実施例の作業員端末２のハードウェア構成は、説明の便宜上、本実施例の処理にかかわる構成を列挙したものであり、作業員端末２を構成するスマートフォンのすべての機能を表現したものではない。
【００１８】
つづいて、本実施例の免許統合システムにおいて実現可能な保有ライセンス確認機能にかかる処理を、フローチャートを用いて詳細に説明する。
【００１９】
＜保有ライセンス確認機能＞
図４−１および図４−２は、本実施例の保有ライセンス確認処理の一例を示すフローチャートであり、詳細には、図４−１は作業員端末２の端末制御部２１の処理を示したものであり、図４−２は管理装置１の制御部１１の処理を示したものである。なお、ここでは、便宜上、特定の作業員Ａが所有する作業員端末２の動作について説明するが、これに限らず、以下の動作はすべての作業員が所有する作業員端末２に共通する動作である。また、管理装置１の記憶部１２には、作業員情報ＤＢが設けられており、この作業員情報ＤＢには、作業員の名前，所属会社，ライセンス情報（保有ライセンス，免許証の画像データ等），派遣されている現場，顔写真データ，声データ，電話番号，メールアドレス，ステータス，備考等の作業員情報が作業員ＩＤに関連付けられた状態で記憶されているものとする。図５は、作業員情報ＤＢの構成例を示す図である。作業員情報ＤＢには、作業員ＩＤ：１〜ＩＤ：ｘ（ｘは２以上の整数：たとえば９９９９や９９９９９までの整数）と各作業員の作業員情報とが１対１に対応付けられた状態で記憶されている。また、ここでは、一例として、保有ライセンスとしてライセンスａ〜ｄが記憶され、免許証の画像データとして画像ａ〜ｄが記憶されている。また、顔写真データは作業員端末２のカメラ部２７で撮影されたものであり、声データは作業員端末２の音声入出力部２４のマイクを通して録音されたものである。
【００２０】
以下、本実施例の保有ライセンス確認処理を図４−１および図４−２を用いて具体的に説明する。
【００２１】
＜作業員端末２の処理＞
待ち受け状態（図４−１、ステップＳ１，Ｎｏ）において、作業員Ａが作業員端末２のタッチ式表示部２５に表示された「免許統合アプリ（作業員用）」のショートカットをタップ（１回タッチする操作）することにより（ステップＳ１，Ｙｅｓ）、端末制御部２１は、「免許統合アプリ（作業員用）」を起動し（ステップＳ２）、起動信号を無線通信部２３経由で管理端末１に送信して管理装置１との間で同期処理を行うとともに、タッチ式表示部２５に作業員ＩＤおよびパスワードの入力画面を表示させるための制御を行う（ステップＳ３）。また、端末制御部２１は、アプリの起動とともにＧＰＳ機能をＯＮにし、位置情報の取得を開始する。そして、得られた位置情報を、無線通信部２３経由で定期的に管理装置１に通知する。
【００２２】
ステップＳ３の制御で表示された入力画面の操作待ち状態において（ステップＳ４，Ｎｏ）、作業員Ａの操作によって作業員ＩＤおよびパスワードが入力された場合（ステップＳ４，Ｙｅｓ）、端末制御部２１は、入力された認証情報（作業員ＩＤおよびパスワード）を無線通信部２３経由で管理装置１に通知する（ステップＳ５）。
【００２３】
管理装置１による認証処理において、認証が成功した旨の通知を無線通信部２３経由で受け取った場合（ステップＳ６，Ｙｅｓ）、端末制御部２１は、無線通信部２３を介した管理装置１との通信により管理装置１と連携し、タッチ式表示部２５に作業員Ａの顔写真データ，名前，所属会社名，保有ライセンス，ステータス等の作業員情報が記載されたＷｅｂページ（トップページ）を表示させるための表示制御を行う（ステップＳ７）。ここで、ステータスは、作業員Ａが保有するライセンスの数，保有ライセンスの難易度，実務経験等から管理装置１において総合的に決定され、作業員情報ＤＢに登録されるものとする。トップページ上では、ステータスが、たとえば、ゴールド（良），ブルー（普通），グリーン（悪）等で色分け表示される。
【００２４】
なお、認証処理において、認証が失敗した旨の通知を無線通信部２３経由で受け取った場合（ステップＳ６，Ｎｏ）、端末制御部２１は、再度、作業員ＩＤおよびパスワードの入力画面を表示させるための表示制御を行う（ステップＳ３）とともに、認証が失敗したことを表示させるための制御を行う。
【００２５】
ステップＳ７の制御でトップページが表示された状態において（ステップＳ８，Ｎｏ、ステップＳ１１，Ｎｏ）、たとえば、作業員Ａによってリンク：「免許画像」（後述する図６に示すリンクを参照）がタップされた場合（ステップＳ８，Ｙｅｓ）、端末制御部２１は、無線通信部２３経由でその旨を管理装置１に通知する。そして、端末制御部２１は、無線通信部２３を介した管理装置１との通信により管理装置１と連携して、作業員Ａの保有ライセンス画像（写真等）を閲覧することが可能な新たなページを生成する処理、および生成したページをタッチ式表示部２５に表示させるための表示制御、を実行する（ステップＳ９）。
【００２６】
ステップＳ９の制御でタッチ式表示部２５に作業員Ａの保有ライセンス画像が表示されている状態において（ステップＳ１０，Ｎｏ）、作業員Ａによって前のページ（トップページ）に戻る操作が行われた場合（ステップＳ１０，Ｙｅｓ）、端末制御部２１は、再度、タッチ式表示部２５にトップページを表示させるための表示制御を行う（ステップＳ７）。
【００２７】
一方、ステップＳ７の制御でトップページが表示されている状態において、リンク：「免許画像」へのタップ操作がなく（ステップＳ８，Ｎｏ）、作業員Ａによってアプリ終了の操作が行われた場合（ステップＳ１１，Ｙｅｓ）、端末制御部２１は、無線通信部２３を介した管理装置１との通信により管理装置１と連携して、アプリを終了するための制御を行う（ステップＳ１２）。これにより、「免許統合アプリ（作業員用）」が終了し、作業員端末２は待ち受け状態に戻る。なお、上記では、トップページにおいて作業員Ａがアプリ終了の操作を行うこととしたが、これに限らず、「免許統合アプリ（作業員用）」は作業員Ａのアプリ終了操作によりいつでも強制的に終了することが可能である。
【００２８】
図６は、本実施例の保有ライセンス確認処理のイメージを示す図である。具体的には、ステップＳ７の制御でトップページが表示された状態において、作業員Ａが、リンク：「免許画像」をタップし、保有ライセンス画像を閲覧する様子が示されている。たとえば、図示のように、作業員Ａが複数のライセンスを所有するような場合には、端末制御部２１は、スクロール操作（スマートフォンの画面を指でなぞる操作）やスワイプ操作（画面を指でなぞって画面を上下左右に動かす操作）に応じて表示画面を遷移させ、所望のライセンスをタッチ式表示部２５に表示させるための表示制御を行う。
【００２９】
＜管理装置１の処理＞
管理装置１においては、作業員Ａの作業員端末２から送られてくる「免許統合アプリ（作業員用）」の起動信号を通信部１６経由で受け取った場合に（図４−２、ステップＳ２１）、制御部１１が作業員端末２との間で同期処理を行うことにより、作業員端末２との間で「免許統合アプリ（作業員用）」を開始する（ステップＳ２２）。また、制御部１１は、連携開始とともに、作業員端末２から通信部１６経由で定期的に送られてくる位置情報の取得処理を開始する。
【００３０】
アプリ開始により作業員Ａの作業員端末２からの通知を待っている状態において（ステップＳ２３，Ｎｏ）、認証情報である作業員ＩＤおよびパスワードを通信部１６経由で受信した場合（ステップＳ２３，Ｙｅｓ）、制御部１１は、この認証情報に基づき本人確認を行う（ステップＳ２４）。ここで、認証処理において作業員Ａであることが確認できた場合（ステップＳ２５，Ｙｅｓ）、制御部１１は、認証が成功した旨を通信部１６経由で作業員端末２に通知するとともに、記憶部１２内の作業員情報ＤＢから作業員Ａの顔写真データ，名前，所属会社名，保有するライセンスの名称，ステータス等の作業員情報を読み出す（ステップＳ２６）。そして、制御部１１は、通信部１６を介した作業員端末２との通信により作業員端末２と連携して、作業員Ａの作業員情報が記載されたＷｅｂページ（トップページ）をタッチ式表示部２５に表示させるための表示制御を行う（ステップＳ２７）。なお、ステータスについては、制御部１１が、作業員Ａが保有するライセンスの数，保有するライセンスの難易度，実務経験等に基づいて総合的に判断して決定し、適宜、記憶部１２内の作業員情報ＤＢに登録する。
【００３１】
一方、認証処理において作業員Ａであることが確認できなかった場合（ステップＳ２５，Ｎｏ）、制御部１１は、認証が失敗した旨を通信部１６経由で作業員端末２に通知し（ステップＳ３３）、作業員ＩＤおよびパスワードの再入力を待つ（Ｓ２３）。
【００３２】
ステップＳ２７においてトップページを表示させるための表示制御を行った後（ステップＳ２８，Ｎｏ、ステップＳ３１，Ｎｏ）、作業員Ａの作業員端末２においてリンク：「免許画像」がタップされ、通信部１６がその旨の通知を受け取った場合（ステップＳ２８，Ｙｅｓ）、制御部１１は、記憶部１２内の作業員情報ＤＢから、作業員Ａが保有するライセンスの画像データ（免許証の画像データ、たとえば、写真データ等）を読み出す。そして、制御部１１は、通信部１６を介した作業員端末２との通信により作業員端末２と連携して、上記で読み出した画像データに基づいて作業員Ａの保有ライセンス画像を閲覧することが可能な新たなページを生成する処理、およびこのページをタッチ式表示部２５に表示させるための表示制御、を実行する（ステップＳ２９）。
【００３３】
ステップＳ２９の制御で作業員Ａが保有ライセンス画像を閲覧可能な状態において（ステップＳ３０，Ｎｏ）、作業員Ａによって前のページ（トップページ）に戻る操作が行われた場合（ステップＳ３０，Ｙｅｓ）、制御部１１は、再度、タッチ式表示部２５にトップページを表示させるための表示制御を行う（ステップＳ２７）。
【００３４】
一方、ステップＳ２７においてトップページを表示させるための表示制御を行った後、リンク：「免許画像」へのタップ操作がなく（ステップＳ２８，Ｎｏ）、作業員Ａによってアプリ終了の操作が行われた場合（ステップＳ３１，Ｙｅｓ）、制御部１１は、通信部１６を介した作業員端末２との通信により、「免許統合アプリ（作業員用）」を終了するための制御を行う（ステップＳ３２）。なお、「免許統合アプリ（作業員用）」開始後、作業員端末２側で強制的に「免許統合アプリ（作業員用）」が終了された場合には、制御部１１は、その時点またはタイムアウト処理で「免許統合アプリ（作業員用）」を終了する。
【００３５】
このように、本実施例においては、管理装置１の制御部１１が、作業員Ａの作業員端末２から通信部１６経由でリンク：「免許画像」がタップされた旨の通知を受け取った場合に、作業員情報ＤＢから作業員Ａが保有するライセンスの画像データを読み出し、その後、制御部１１と端末制御部２１が連携して、作業員Ａの保有ライセンス画像をタッチ式表示部２５に表示させるための制御を行うこととした。これにより、多くの作業員が入れ替わり出入りするような工事現場であっても、たとえば、どこにどのようなライセンスを持った作業員が配置されているか、作業に必要なライセンスを保有しているか等、より詳細な作業員情報を、スマートフォン等の作業員端末２を用いて容易に把握することができる。すなわち、下請業者（建設会社）の責任者や元請業者の担当者は、作業員端末２に表示された作業員の保有ライセンス画像を確認することにより、適切かつ容易に工事現場を管理することが可能となる。
【００３６】
また、現場の作業員は、その現場の作業に必要な免許証は持っていても、当日の作業に必要のないその他の免許証をすべての持っているとは限らない。また、少なからず、免許証の携帯が義務付けられていないライセンスも存在する。さらには、免許証を所持はしているが汚れ等で見づらい場合や、免許証の紛失等で再交付を申請している場合等もある。これらのような場合であっても、作業員は、本実施例の作業員端末２を用いて保有ライセンス画像を表示させることで、容易に詳細な本人情報を提示することが可能となる。
【００３７】
なお、作業員は、「免許統合アプリ（作業員用）」を利用する場合に、まず、作業員情報ＤＢへ作業員情報を登録する必要がある。そのため、作業員は、たとえば、所定のホームページから「免許統合アプリ（作業員用）」をダウンロードし、最初に「免許統合アプリ（作業員用）」を起動したときに表示される登録画面上で、所定の作業員情報を登録する。具体的には、まず、登録画面上で、作業員ＩＤおよびパスワードの登録処理を行い、引き続き、作業員の名前，所属会社，ライセンス情報（保有ライセンス，免許証の画像データ等），派遣されている現場，顔写真データ，声データ，電話番号，メールアドレス等の作業員情報の登録処理を行う。登録完了により、作業員端末２のタッチ式表示部２５には、図６に示すようなトップページが表示される。また、登録完了後は、図４−１に示すように、「免許統合アプリ（作業員用）」の起動により、作業員ＩＤおよびパスワードの入力画面が表示される。また、作業員情報ＤＢに登録された作業員情報は、「免許統合アプリ（作業員用）」を使用して適宜変更可能とする。また、免許証の画像データ，顔写真データ等は、一例として、作業員の所有する作業員端末２のカメラ機能（カメラ部２７）を用いて撮影されたものを使用し、声データは、一例として、作業員の所有する作業員端末２の音声入出力機能（音声入出力部２４のマイク）を用いて録音されたものを使用する。
【実施例２】
【００３８】
実施例１では、「免許統合アプリ（作業員用）」による保有ライセンス確認機能について説明したが、実施例２では、「免許統合アプリ（作業員用）」に求人広告表示機能を追加する。なお、図１に示すシステム構成、図２に示す管理装置１のハードウェア構成および図３に示す作業員端末２のハードウェア構成については、前述した実施例１と同一である。また、「免許統合アプリ（作業員用）」において、トップページを表示するまでの動作については、実施例１の図４−１（ステップＳ１〜Ｓ７）および図４−２（ステップＳ２１〜Ｓ２７）と同一である。以下、本実施例では、実施例１と異なる処理についてのみ説明する。
【００３９】
＜求人広告表示機能＞
図７−１および図７−２は、本実施例の求人広告表示処理の一例を示すフローチャートであり、詳細には、図７−１は作業員端末２の端末制御部２１の処理を示したものであり、図７−２は管理装置１の制御部１１の処理を示したものである。なお、管理装置１の記憶部２１には、求人情報ＤＢが設けられており、この求人情報ＤＢには、求人内容，建設会社，現場（勤務地），必要な資格，報酬，連絡先，備考（採用担当者名等）等の情報を含む求人情報が記憶されているものとする。図８は、求人情報ＤＢの構成例を示す図である。本実施例では、一例として、クレーン運転手，ユンボ運転手，フォークリフト運転手，ビル解体，…等の求人が登録されているものとする。
【００４０】
以下、本実施例の求人広告表示処理を図７−１および図７−２を用いて具体的に説明する。
【００４１】
＜作業員端末２の処理＞
【００４２】
図４−１のステップＳ７の制御でトップページが表示された状態において（ステップＳ４１，Ｎｏ、ステップＳ１１，Ｎｏ）、たとえば、作業員Ａによってリンク：「求人」（図６に示すリンクを参照）がタップされた場合（ステップＳ４１，Ｙｅｓ）、端末制御部２１は、無線通信部２３経由でその旨を管理装置１に通知する。そして、端末制御部２１は、無線通信部２３を介した管理装置１との通信により管理装置１と連携して、応募可能な求人（求人情報ＤＢの「求人内容」に相当）および関連性の強い求人（現時点で応募できない求人：後述する管理装置１の処理を参照）を閲覧することが可能な新たなページを生成する処理、および生成したページをタッチ式表示部２５に表示させるための表示制御、を実行する（ステップＳ４２）。
【００４３】
ステップＳ４２の制御でタッチ式表示部２５に求人が表示されている状態において（ステップＳ４３，Ｎｏ、ステップＳ４４，Ｎｏ）、作業員Ａによって前のページ（トップページ）に戻る操作が行われた場合（ステップＳ４３，Ｙｅｓ）、端末制御部２１は、再度、タッチ式表示部２５にトップページを表示させるための表示制御を行う（ステップＳ７）。
【００４４】
また、ステップＳ４２の制御でタッチ式表示部２５に求人が表示されている状態において（ステップＳ４３，Ｎｏ、ステップＳ４４，Ｎｏ）、たとえば、作業員Ａによって「応募可能な求人（クレーン運転手等）」または「関連性の強い求人」のリンク（後述する図９に示すリンクを参照）がタップされた場合（ステップＳ４４，Ｙｅｓ）、端末制御部２１は、無線通信部２３経由でその旨を管理装置１に通知する。そして、端末制御部２１は、無線通信部２３を介した管理装置１との通信により管理装置１と連携して、作業員Ａに指定された求人の詳細情報（制御部１１により求人情報ＤＢから読み出された求人情報）を閲覧することが可能な新たなページを生成する処理、および生成したページをタッチ式表示部２５に表示させるための表示制御、を実行する（ステップＳ４５）。
【００４５】
なお、ステップＳ４５の制御でタッチ式表示部２５に求人の詳細情報が表示されている状態において（ステップＳ４６，Ｎｏ）、作業員Ａによって前のページに戻る操作が行われた場合（ステップＳ４６，Ｙｅｓ）、端末制御部２１は、再度、タッチ式表示部２５に応募可能な求人および関連性の強い求人を閲覧することが可能なページを表示させるための表示制御を行う（ステップＳ４２）。
【００４６】
一方、ステップＳ７の制御で表示されたトップページにおいて、リンク：「求人」へのタップ操作がなく（ステップＳ４１，Ｎｏ）、作業員Ａによってアプリ終了の操作が行われた場合（ステップＳ１１，Ｙｅｓ）、端末制御部２１は、無線通信部２３を介した管理装置１との通信により管理装置１と連携して、アプリを終了するための制御を行う（ステップＳ１２）。これにより、「免許統合アプリ（作業員用）」が終了し、作業員端末２は待ち受け状態に戻る。なお、上記では、トップページにおいて作業員Ａがアプリ終了の操作を行うこととしたが、これに限らず、「免許統合アプリ（作業員用）」は作業員Ａのアプリ終了操作によりいつでも強制的に終了することが可能である。
【００４７】
図９は、本実施例の求人広告表示処理のイメージを示す図である。具体的には、ステップＳ７の制御でトップページが表示された状態において、作業員Ａが、リンク：「求人」をタップし、応募可能な求人および関連性の強い求人を閲覧する様子が示されている。図９において、たとえば、複数の求人のリンク（応募可能な求人，関連性の強い求人）が表示されている場合、端末制御部２３は、作業員Ａによる所望のリンクへのタップ操作に応じて、所望の求人の詳細情報をタッチ式表示部２５に表示させるための表示制御を行う。具体的には、リンク：「クレーン運転手」がタップされた場合には、求人情報ＤＢに登録されている「クレーン運転手の詳細情報（建設会社，現場（勤務地），必要な資格，報酬，連絡先，備考等）」がタッチ式表示部２５に表示される。また、リンク：「関連性の強い求人」がタップされた場合には、たとえば、「ｄの免許取得でｘｘｘ作業の求人に応募可」および「ｘｘｘ作業の詳細情報（求人内容，建設会社，現場（勤務地），必要な資格，報酬，連絡先，備考等）」がタッチ式表示部２５に表示される。
＜管理装置１の処理＞
【００４８】
ステップＳ２７においてトップページを表示させるための表示制御を行った後（ステップＳ５１，Ｎｏ、ステップＳ３１，Ｎｏ）、作業員Ａの作業員端末２においてリンク：「求人」がタップされ、通信部１６がその旨の通知を受け取った場合（ステップＳ５１，Ｙｅｓ）、制御部１１は、記憶部１２内の作業員情報ＤＢから、作業員Ａが保有するライセンスの情報を読み出し、保有ライセンスリストを生成する。さらに、制御部１１は、生成した保有ライセンスリストと求人情報ＤＢに登録された求人情報の「必要な資格」の内容とを求人毎に比較し、現時点において応募可能な求人（「必要な資格」を満たす求人）、および応募することはできないが関連性の強い求人（たとえば、「必要な資格」に対して１つだけ保有ライセンスが足りない求人等、もう少しで応募可能となる求人）、を求人情報ＤＢから抽出する。そして、制御部１１は、通信部１６を介した作業員端末２との通信により作業員端末２と連携して、上記で抽出した求人を閲覧することが可能な新たなページを生成する処理、およびこのページをタッチ式表示部２５に表示させるための表示制御、を実行する（ステップＳ５２）。
【００４９】
ステップＳ５２の制御で、応募可能な求人および関連性の強い求人を閲覧可能な状態において（ステップＳ５３，Ｎｏ、ステップＳ５４，Ｎｏ）、作業員Ａによって前のページ（トップページ）に戻る操作が行われた場合（ステップＳ５３，Ｙｅｓ）、制御部１１は、再度、タッチ式表示部２５にトップページを表示させるための表示制御を行う（ステップＳ２７）。
【００５０】
また、ステップＳ５２の制御で、応募可能な求人および関連性の強い求人を閲覧可能な状態において（ステップＳ５３，Ｎｏ、ステップＳ５４，Ｎｏ）、たとえば、作業員Ａによって「応募可能な求人」または「関連性の強い求人」のリンクがタップされ、通信部１６経由でその旨が通知された場合（ステップＳ５４，Ｙｅｓ）、制御部１１は、作業員Ａに指定された求人の詳細情報（求人内容，建設会社，現場（勤務地），必要な資格，報酬，連絡先，備考等）を求人情報ＤＢから読み出す。そして、制御部１１は、通信部１６を介した作業員端末２との通信により作業員端末２と連携して、上記で読み出した詳細情報を閲覧することが可能な新たなページを生成する処理、および生成したページをタッチ式表示部２５に表示させるための表示制御、を実行する（ステップＳ５５）。
【００５１】
なお、ステップＳ５５の制御でタッチ式表示部２５に求人の詳細情報が表示されている状態において（ステップＳ５６，Ｎｏ）、作業員Ａによって前のページに戻る操作が行われ、通信部１６経由でその旨の通知を受け取った場合（ステップＳ５６，Ｙｅｓ）、制御部１１は、再度、タッチ式表示部２５に応募可能な求人および関連性の強い求人を閲覧することが可能なページを表示させるための表示制御を行う（ステップＳ５２）。
【００５２】
一方、ステップＳ２７においてトップページを表示させるための表示制御を行った後、リンク：「求人」へのタップ操作がなく（ステップＳ５１，Ｎｏ）、作業員Ａによってアプリ終了の操作が行われた場合（ステップＳ３１，Ｙｅｓ）、制御部１１は、通信部１６を介した作業員端末２との通信により、「免許統合アプリ（作業員用）」を終了するための制御を行う（ステップＳ３２）。なお、「免許統合アプリ（作業員用）」開始後、作業員端末２側で強制的に「免許統合アプリ（作業員用）」が終了された場合には、制御部１１は、その時点またはタイムアウト処理で「免許統合アプリ（作業員用）」を終了する。
【００５３】
このように、本実施例においては、管理装置１の制御部１１が、作業員Ａの作業員端末２から通信部１６経由でリンク：「求人」がタップされた旨の通知を受け取った場合に、作業員情報ＤＢから作業員Ａが保有するライセンスの情報を読み出し、保有ライセンスリストを生成する。さらに、生成した保有ライセンスリストと求人情報ＤＢに登録された求人情報の「必要な資格」の内容とを求人毎に比較し、その比較結果に基づいて現時点において応募可能な求人を抽出する。そして、管理装置１の制御部１１と作業員端末２の端末制御部１２が連携して、上記で抽出された求人をタッチ式表示部２５に表示させるための制御を行うこととした。たとえば、作業員Ａは、求人の詳細情報を参照して応募するかどうかを検討し、応募する場合には、詳細情報に記載された連絡先から電話番号やメールアドレスを入手することができる。これにより、適切な雇用の創出が可能となるとともに、工事現場の人手不足を保有ライセンスに基づく適切な人員配置により補うことができる。
【００５４】
なお、本実施例では、求人の詳細情報を作業員に閲覧してもらう構成とすることで、応募するかどうかの検討の手助けとなるようにシステムを構築したが、たとえば、画面上に「応募」のリンクを設け、実際に応募手続きを行えるようなシステム構成としてよい。
【実施例３】
【００５５】
実施例３では、実施例１または実施例２の「免許統合アプリ（作業員用）」に、さらに資格取得支援機能を追加する。なお、図１に示すシステム構成、図２に示す管理装置１のハードウェア構成および図３に示す作業員端末２のハードウェア構成については、前述した実施例１と同一である。また、「免許統合アプリ（作業員用）」において、トップページを表示するまでの動作については、実施例１の図４−１（ステップＳ１〜Ｓ７）および図４−２（ステップＳ２１〜Ｓ２７）と同一である。以下、本実施例では、実施例１または実施例２と異なる処理についてのみ説明する。
【００５６】
＜資格取得支援機能＞
図１０−１および図１０−２は、本実施例の資格取得支援処理の一例を示すフローチャートであり、詳細には、図１０−１は作業員端末２の端末制御部２１の処理を示したものであり、図１０−２は管理装置１の制御部１１の処理を示したものである。なお、管理装置１の記憶部２１には、過去問ＤＢが設けられており、この過去問ＤＢには、資格試験ごとに複数の過去問（たとえば、試験と同程度の問題数以上）が記憶されているものとする。また、本実施例では、便宜上、過去問を選択式問題とするが、記述式問題を排除するものではない。図１１は、過去問ＤＢの構成例を示す図である。本実施例では、一例として、クレーン・デリック運転士，移動式クレーン運転士，発破技士，電気工事士，ボイラー技士，…等の試験の過去問が登録されているものとする。
【００５７】
以下、本実施例の資格取得支援処理を図１０−１および図１０−２を用いて具体的に説明する。
【００５８】
＜作業員端末２の処理＞
【００５９】
図４−１のステップＳ７の制御でトップページが表示された状態において（ステップＳ６１，Ｎｏ、ステップＳ１１，Ｎｏ）、たとえば、作業員Ａによってリンク：「過去問」（図６に示すリンクを参照）がタップされた場合（ステップＳ６１，Ｙｅｓ）、端末制御部２１は、無線通信部２３経由でその旨を管理装置１に通知する。そして、端末制御部２１は、無線通信部２３を介した管理装置１との通信により管理装置１と連携して、管理装置１において過去問を提供可能な資格試験のリスト（過去問ＤＢの「資格試験」欄に相当）を閲覧することが可能な新たなページを生成する処理、および生成したページをタッチ式表示部２５に表示させるための表示制御、を実行する（ステップＳ６２）。
【００６０】
ステップＳ６２の制御でタッチ式表示部２５に資格試験リストが表示されている状態において（ステップＳ６３，Ｎｏ、ステップＳ６４，Ｎｏ）、作業員Ａによって前のページ（トップページ）に戻る操作が行われた場合（ステップＳ６３，Ｙｅｓ）、端末制御部２１は、再度、タッチ式表示部２５にトップページを表示させるための表示制御を行う（ステップＳ７）。
【００６１】
また、ステップＳ６２の制御でタッチ式表示部２５に資格試験リストが表示されている状態において（ステップＳ６３，Ｎｏ、ステップＳ６４，Ｎｏ）、リストの中から、たとえば、作業員Ａによって「クレーン・デリック運転士試験」がタップされた場合（ステップＳ６４，Ｙｅｓ）、端末制御部２１は、無線通信部２３経由でその旨を管理装置１に通知する。そして、端末制御部２１は、無線通信部２３を介した管理装置１との通信により管理装置１と連携して、作業員Ａによって選択されたクレーン・デリック運転士試験の過去問（制御部１１により後述する条件で過去問ＤＢから読み出された過去問）を表示することが可能な新たなページを生成する処理、および生成したページをタッチ式表示部２５に表示させるための表示制御、を実行する（ステップＳ６５）。
【００６２】
ステップＳ６５の制御でタッチ式表示部２５に過去問が表示されている状態において（ステップＳ６６，Ｎｏ）、作業員Ａにより答えが選択された場合（ステップＳ６６，Ｙｅｓ）、端末制御部２１は、無線通信部２３経由でその内容を管理装置１に通知する。そして、端末制御部２１は、無線通信部２３を介した管理装置１との通信により管理装置１と連携して、正解（○）または不正解（×）の判定結果および選択式問題の正解（解説を含む）を表示することが可能な新たなページを生成する処理、および生成したページをタッチ式表示部２５に表示させるための表示制御、を実行する（ステップＳ６７）。
【００６３】
ステップＳ６７の制御でタッチ式表示部２５に○×判定結果および選択式問題の正解が表示されている状態において、作業員Ａによって次の問題への移行を指示する操作が行われた場合（ステップＳ６８，Ｙｅｓ）、端末制御部２１は、無線通信部２３を介した管理装置１との通信により管理装置１と連携して、次の問題（前の問題が第１問の場合は第２問）を表示することが可能な新たなページを生成する処理、および生成したページをタッチ式表示部２５に表示させるための表示制御、を実行する（ステップＳ６５）。
【００６４】
また、ステップＳ６７の制御でタッチ式表示部２５に○×判定結果および選択式問題の正解が表示されている状態において、作業員Ａによって前のページに戻る操作が行われた場合（ステップＳ６８，Ｎｏ）、端末制御部２１は、再度、タッチ式表示部２５に管理装置１において資格試験リストを閲覧することが可能なページを表示させるための表示制御を行う（ステップＳ６２）。
【００６５】
一方、ステップＳ７の制御で表示されたトップページにおいて、リンク：「過去問」へのタップ操作がなく（ステップＳ６１，Ｎｏ）、作業員Ａによってアプリ終了の操作が行われた場合（ステップＳ１１，Ｙｅｓ）、端末制御部２１は、無線通信部２３を介した管理装置１との通信により管理装置１と連携して、アプリを終了するための制御を行う（ステップＳ１２）。これにより、「免許統合アプリ（作業員用）」が終了し、作業員端末２は待ち受け状態に戻る。なお、上記では、トップページにおいて作業員Ａがアプリ終了の操作を行うこととしたが、これに限らず、「免許統合アプリ（作業員用）」は作業員Ａのアプリ終了操作によりいつでも強制的に終了することが可能である。
【００６６】
図１２は、本実施例の資格取得支援処理のイメージを示す図である。具体的には、作業員端末２にクレーン・デリック運転士試験の過去問が表示された状態が示されている。
＜管理装置１の処理＞
【００６７】
ステップＳ２７においてトップページを表示させるための表示制御を行った後（ステップＳ７１，Ｎｏ、ステップＳ３１，Ｎｏ）、作業員Ａの作業員端末２においてリンク：「過去問」がタップされ、通信部１６がその旨の通知を受け取った場合（ステップＳ７１，Ｙｅｓ）、制御部１１は、記憶部１２内の過去問ＤＢから「資格試験」欄の内容を読み出し、過去問を提供可能な資格試験のリスト（資格試験リスト）を生成する。そして、制御部１１は、通信部１６を介した作業員端末２との通信により作業員端末２と連携して、資格試験リストを閲覧することが可能な新たなページを生成する処理、および生成したページをタッチ式表示部２５に表示させるための表示制御、を実行する（ステップＳ７２）。
【００６８】
ステップＳ７２の制御で、資格試験リストを閲覧可能な状態において（ステップＳ７３，Ｎｏ、ステップＳ７４，Ｎｏ）、作業員Ａによって前のページ（トップページ）に戻る操作が行われた場合（ステップＳ７３，Ｙｅｓ）、制御部１１は、再度、タッチ式表示部２５にトップページを表示させるための表示制御を行う（ステップＳ２７）。
【００６９】
また、ステップＳ７２の制御で、資格試験リストを閲覧可能な状態において（ステップＳ７３，Ｎｏ、ステップＳ７４，Ｎｏ）、たとえば、作業員Ａによって「クレーン・デリック運転士試験」がタップされ、通信部１６経由でその旨が通知された場合（ステップＳ７４，Ｙｅｓ）、制御部１１は、作業員情報ＤＢの「備考」欄から過去問の解答履歴（解答履歴の登録については後述する）を読み出す。解答履歴は、実際に過去問を解いた資格試験と、何問目まで解いたかという情報とが、問題を解いた作業員に対応付けられた状態で登録されているものとする。たとえば、制御部１１は、解答履歴が登録されていない場合には、過去問ＤＢから、クレーン・デリック運転士試験の過去問の第１問を読み出し、解答履歴に第１問まで解いたという情報が登録されている場合には、過去問ＤＢから、クレーン・デリック運転士試験の過去問の第２問を読み出し、解答履歴に第ｘ問（最後の問題）まで解いたという情報が登録されている場合には、過去問ＤＢから、クレーン・デリック運転士試験の過去問の第１問を読み出す。そして、制御部１１は、通信部１６を介した作業員端末２との通信により作業員端末２と連携して、上記で読み出した過去問（たとえば第１問）を表示することが可能な新たなページを生成する処理、および生成したページをタッチ式表示部２５に表示させるための表示制御、を実行する（ステップＳ７５）。
【００７０】
ステップＳ７５の制御で、過去問（たとえば第１問）が表示された状態で（ステップＳ７６，Ｎｏ）、選択式問題において作業員Ａにより答えが選択され、その内容が通信部１６経由で通知された場合（ステップＳ７６，Ｙｅｓ）、制御部１１は、過去問ＤＢから、クレーン・デリック運転士試験の過去問の第１問の正解（解説を含む）を読み出し、この正解と作業員Ａの出した解答とを比較することにより作業員Ａの出した解答が正解なのか（○）、誤りなのか（×）を判断する。そして、制御部１１は、通信部１６を介した作業員端末２との通信により作業員端末２と連携して、上記○×判定結果および上記で読み出した正解（解説を含む）を表示することが可能な新たなページを生成する処理、および生成したページをタッチ式表示部２５に表示させるための表示制御、を実行する（ステップＳ７７）。なお、制御部１１は、上記○か×の判断結果を作業員ＤＢの「備考」欄に蓄積し、さらに、蓄積した情報に基づいて試験の合格判定を行い、その試験の合格判定結果（合格レベル，合格可能レベル，不合格レベル等）についても作業員ＤＢの「備考」欄に蓄積しておくこととしてもよい。このような処理を行うことにより、たとえば、作業員端末２のタッチ式表示部２５に、図６に示す保有ライセンスの画像とともに、合格の可能性のある資格試験を表示させることが可能となる。
【００７１】
ステップＳ７７の制御でタッチ式表示部２５に○×判定結果および正解が表示されている状態において、作業員Ａによって次の問題への移行を指示する操作が行われ、通信部１６経由でその旨の通知を受け取った場合（ステップＳ７８，Ｙｅｓ）、制御部１１は、過去問ＤＢから、次の問題（前の問題が第１問の場合は第２問）を読み出す。そして、制御部１１は、通信部１６を介した作業員端末２との通信により作業員端末２と連携して、次の問題を表示することが可能な新たなページを生成する処理、および生成したページをタッチ式表示部２５に表示させるための表示制御、を実行する（ステップＳ７５）。
【００７２】
また、ステップＳ７７の制御でタッチ式表示部２５に○×判定結果および正解が表示されている状態において、作業員Ａによって資格試験リストが表示されたページに戻る操作（クレーン・デリック運転士試験の過去問の解答の継続を中止する操作）が行われ、通信部１６経由でその旨の通知を受け取った場合（ステップＳ７８，Ｎｏ）、制御部１１は、過去問を解いている作業員Ａの作業員情報ＤＢの備考欄に、解答履歴として、何問目まで解いたかという情報をクレーン・デリック運転士試験に対応付けて登録し（ステップＳ７９）、その後、タッチ式表示部２５に資格試験リストを閲覧することが可能なページを表示させるための表示制御を行う（ステップＳ７２）。
【００７３】
一方、ステップＳ２７においてトップページを表示させるための表示制御を行った後、リンク：「過去問」へのタップ操作がなく（ステップＳ７１，Ｎｏ）、作業員Ａによってアプリ終了の操作が行われた場合（ステップＳ３１，Ｙｅｓ）、制御部１１は、通信部１６を介した作業員端末２との通信により、「免許統合アプリ（作業員用）」を終了するための制御を行う（ステップＳ３２）。なお、「免許統合アプリ（作業員用）」開始後、作業員端末２側で強制的に「免許統合アプリ（作業員用）」が終了された場合には、制御部１１は、その時点またはタイムアウト処理で「免許統合アプリ（作業員用）」を終了する。
【００７４】
このように、本実施例においては、管理装置１の制御部１１が、作業員Ａの作業員端末２でリンク：「過去問」がタップされた旨の通知を受け取り、その後、特定の資格試験の過去問の表示を要求する旨の通知を受け取った場合に、作業員情報ＤＢから作業員Ａの解答履歴を読み出し、さらに、その解答履歴に基づいて過去問ＤＢから作業員Ａが未解答の過去問を読み出す。そして、制御部１１と端末制御部２１が連携して、読み出した過去問をタッチ式表示部２５に表示させるための制御を行う。また、制御部１１は、作業員端末２から作業員Ａの出した解答を受け取った場合に、過去問ＤＢから過去問の正解を読み出し、その正解と作業員Ａの出した解答とを比較することにより作業員Ａの出した解答の正誤を判断する。そして、制御部１１と端末制御部２１が連携して、正誤判断結果および正解をタッチ式表示部２５に表示させるための制御を行う。その後、制御部１１は、過去問ＤＢから読み出す過去問を順次更新しながら、特定の資格試験の過去問を表示させるための制御を継続し、作業員端末２から継続を中止する旨の通知を受け取った場合に、作業員Ａが解いた過去問の情報を解答履歴として作業員情報ＤＢに蓄積し、過去問を表示させるための制御を終了する。これにより、作業員Ａは、空いた時間に適宜過去問を解くことができ、効率よくスキルの向上を図ることができる。
【実施例４】
【００７５】
実施例１〜３では、免許統合システムを構成する管理装置１と作業員が所有する作業員端末２との連携により実現可能な各種機能について説明した。本実施例では、一例として、下請けの建設会社の現場責任者が所有するスマートフォンを利用して実現可能な各種機能について説明する。
【００７６】
図１３は、免許統合システムの実施例４の構成の一例を示す図である。本実施例の免許統合システムは、図１に示す実施例１〜実施例３の構成に、現場責任者が所有する責任者端末３を追加したものである。管理装置１と責任者端末３は、インターネット等のネットワーク５を介して接続された構成をとり、たとえば、現場責任者が、責任者端末３を操作することによって、自建設会社に所属する作業員が保有するライセンスを閲覧可能とするものである。なお、本実施例において利用可能な責任者端末３は、作業員端末２と同様に、スマートフォン，タブレット端末，３Ｇ／４Ｇ等の携帯電話等に代表される携帯情報端末や、ノートパソコン等の携帯可能な通信端末、を想定する。
【００７７】
図１４は、責任者端末３の一例であるスマートフォンのハードウェア構成例を示す図である。図１４において、本実施例の責任者端末３は、端末制御部３１と、ＲＯＭおよびＲＡＭ等の内部メモリを含む記憶部３２と、無線通信部３３と、音声入出力部３４と、タッチ式表示部３５と、電源部３６と、カメラ部３７とを備え、前述した作業員端末２と同一の構成を有する。
【００７８】
つづいて、本実施例の免許統合システムにおいて実現可能なライセンス検索機能にかかる処理を、フローチャートを用いて詳細に説明する。
【００７９】
＜ライセンス検索機能＞
図１５−１および図１５−２は、本実施例のライセンス検索処理の一例を示すフローチャートであり、詳細には、図１５−１は責任者端末３の端末制御部３１の処理を示したものであり、図１５−２は管理装置１の制御部１１の処理を示したものである。また、管理装置１の記憶部１２には、責任者情報ＤＢが設けられており、この責任者情報ＤＢには、現場責任者の名前，所属会社，管理している現場，顔写真データ，声データ，電話番号，メールアドレス，備考等の責任者情報が責任者ＩＤに関連付けられた状態で記憶されているものとする。ここで、顔写真データは責任者端末３のカメラ部３７で撮影されたものであり、声データは責任者端末３の音声入出力部３４のマイクを通して録音されたものである。図１６は、責任者情報ＤＢの構成例を示す図である。
【００８０】
＜責任者端末３の処理＞
待ち受け状態（図１５−１、ステップＳ８１，Ｎｏ）において、現場責任者が責任者端末３のタッチ式表示部３５に表示された「免許統合アプリ（現場責任者用）」のショートカットをタップすることにより（ステップＳ８１，Ｙｅｓ）、端末制御部３１は、「免許統合アプリ（現場責任者用）」を起動し（ステップＳ８２）、起動信号を無線通信部３３経由で管理端末１に送信して管理装置１との間で同期処理を行うとともに、タッチ式表示部３５に現場責任者本人の認証情報である責任者ＩＤおよびパスワードの入力画面を表示させるための制御を行う（ステップＳ８３）。
【００８１】
ステップＳ８３の制御で表示された入力画面の操作待ち状態において（ステップＳ８４，Ｎｏ）、現場責任者の操作によって責任者ＩＤおよびパスワードが入力された場合（ステップＳ８４，Ｙｅｓ）、端末制御部３１は、入力された認証情報を無線通信部３３経由で管理装置１に通知する（ステップＳ８５）。
【００８２】
管理装置１による認証処理において、認証が成功した旨の通知を無線通信部３３経由で受け取った場合（ステップＳ８６，Ｙｅｓ）、端末制御部３１は、無線通信部３３を介した管理装置１との通信により管理装置１と連携し、タッチ式表示部３５に現場責任者の顔写真データ，名前，所属会社名，管理している現場等の責任者情報が記載されたＷｅｂページ（トップページ）を表示させるための表示制御を行う（ステップＳ８７）。
【００８３】
なお、認証処理において、認証が失敗した旨の通知を無線通信部３３経由で受け取った場合（ステップＳ８６，Ｎｏ）、端末制御部３１は、再度、現場責任者本人の認証情報である作業員ＩＤおよびパスワードの入力画面を表示させるための表示制御を行う（ステップＳ８３）とともに、認証が失敗したことを表示させるための制御を行う。
【００８４】
ステップＳ８７の制御でトップページが表示された状態において（ステップＳ８８，Ｎｏ、ステップＳ９３，Ｎｏ）、たとえば、現場責任者によってリンク：「ライセンス検索」（後述する図１７に示すリンクを参照）がタップされた場合（ステップＳ８８，Ｙｅｓ）、端末制御部３１は、無線通信部３３経由でその旨を管理装置１に通知する。そして、端末制御部３１は、無線通信部３３を介した管理装置１との通信により管理装置１と連携して、現場責任者が管理する現場に配置された作業員のリスト（作業員リスト）を閲覧することが可能な新たなページを生成する処理、および生成したページをタッチ式表示部３５に表示させるための表示制御、を実行する（ステップＳ８９）。
【００８５】
ステップＳ８９の制御で現場責任者が作業員リストを閲覧可能な状態において（ステップＳ９０，Ｎｏ）、たとえば、現場責任者によって作業員Ａのリンクがタップされた場合（ステップＳ９０，Ｙｅｓ）、端末制御部３１は、無線通信部３３経由でその旨を管理装置１に通知する。そして、端末制御部３１は、無線通信部３３を介した管理装置１との通信により管理装置１と連携して、現場責任者によって選択された作業員Ａの保有ライセンス画像（写真等）を閲覧することが可能な新たなページを生成する処理、および生成したページをタッチ式表示部３５に表示させるための表示制御、を実行する（ステップＳ９１）。
【００８６】
ステップＳ９１の制御で現場責任者が作業員Ａの保有ライセンス画像を閲覧可能な状態において（ステップＳ９２，Ｎｏ）、現場責任者によって前のページ（トップページ）に戻る操作が行われた場合（ステップＳ９２，Ｙｅｓ）、端末制御部３１は、再度、タッチ式表示部３５にトップページを表示させるための表示制御を行う（ステップＳ８７）。
【００８７】
一方、ステップＳ８７の制御でトップページが表示された状態において（ステップＳ８８，Ｎｏ、ステップＳ９３，Ｎｏ）、リンク：「ライセンス検索」へのタップ操作がなく（ステップＳ８８，Ｎｏ）、現場責任者によってアプリ終了の操作が行われた場合（ステップＳ９３，Ｙｅｓ）、端末制御部３１は、無線通信部３３を介した管理装置１との通信により管理装置１と連携して、アプリを終了するための制御を行う（ステップＳ９４）。これにより、「免許統合アプリ（現場責任者用）」が終了し、責任者端末３は待ち受け状態に戻る。なお、上記では、トップページにおいて現場責任者がアプリ終了の操作を行うこととしたが、これに限らず、「免許統合アプリ（現場責任者用）」は現場責任者のアプリ終了操作によりいつでも強制的に終了することが可能である。
【００８８】
図１７は、本実施例のライセンス検索処理のイメージを示す図である。具体的には、ステップＳ８７の制御でトップページが表示された状態において、現場責任者が、リンク：「ライセンス検索」をタップし、さらに、作業員Ａを選択し、選択した作業員Ａのライセンス画像を閲覧する様子が示されている。たとえば、図示のように、作業員Ａが複数のライセンスを所有するような場合には、実施例１と同様の処理で、端末制御部３１は、スクロール操作やスワイプ操作に応じて表示画面を遷移させ、所望のライセンスをタッチ式表示部３５に表示させるための表示制御を行う。
【００８９】
＜管理装置１の処理＞
管理装置１においては、責任者端末３から送られてくる「免許統合アプリ（現場責任者用）」の起動信号を通信部１６経由で受け取った場合に（図１５−２、ステップＳ１０１）、制御部１１が責任者端末３との間で同期処理を行うことにより、責任者端末３との間で「免許統合アプリ（現場責任者用）」を開始する（ステップＳ１０２）。また、制御部１１は、連携開始とともに、責任者端末３から通信部１６経由で定期的に送られてくる位置情報の取得処理を開始する。
【００９０】
アプリ開始により責任者端末３からの通知を待っている状態において（ステップＳ１０３，Ｎｏ）、認証情報である責任者ＩＤおよびパスワードを通信部１６経由で受信した場合（ステップＳ１０３，Ｙｅｓ）、制御部１１は、この認証情報に基づき本人確認を行う（ステップＳ１０４）。ここで、認証処理において現場責任者本人であることが確認できた場合（ステップＳ１０５，Ｙｅｓ）、制御部１１は、認証が成功した旨を通信部１６経由で責任者端末３に通知するとともに、記憶部１２内の責任者情報ＤＢからその現場責任者の顔写真データ，名前，所属会社名，管理している現場等の責任者情報を読み出す（ステップＳ１０６）。そして、制御部１１は、通信部１６を介した責任者端末３との通信により責任者端末３と連携して、責任者情報が記載されたＷｅｂページ（トップページ）をタッチ式表示部３５に表示させるための表示制御を行う（ステップＳ１０７）。
【００９１】
一方、認証処理において現場責任者本人であることが確認できなかった場合（ステップＳ１０５，Ｎｏ）、制御部１１は、認証が失敗した旨を通信部１６経由で責任者端末３に通知し（ステップＳ１０８）、責任者ＩＤおよびパスワードの再入力を待つ（Ｓ１０３）。
【００９２】
ステップＳ１０７においてトップページを表示させるための表示制御を行った後（ステップＳ１０９，Ｎｏ、ステップＳ１１４，Ｎｏ）、責任者端末３においてリンク：「ライセンス検索」がタップされ、通信部１６がその旨の通知を受け取った場合（ステップＳ１０９，Ｙｅｓ）、制御部１１は、責任者情報ＤＢから現場責任者の所属会社および現場責任者が管理している現場を読み出し、さらに、作業員情報ＤＢから、読み出した所属会社および現場に該当する作業員名を読み出し、現場責任者が管理する現場に配置された作業員のリスト（作業員リスト）を生成する。そして、制御部１１は、通信部１６を介した責任者端末３との通信により責任者端末３と連携して、上記で生成した作業員リストを閲覧することが可能な新たなページを生成する処理、およびこのページをタッチ式表示部３５に表示させるための表示制御、を実行する（ステップＳ１１０）。
【００９３】
ステップＳ１１０において現場責任者が作業員リストを閲覧可能な状態において（ステップＳ１１１，Ｎｏ）、たとえば、現場責任者によって作業員Ａのリンクがタップされ、通信部１６がその旨の通知を受け取った場合（ステップＳ１１１，Ｙｅｓ）、制御部１１は、記憶部１２内の作業員情報ＤＢから、作業員Ａが保有するライセンスの画像データ（免許証の画像データ、たとえば、写真データ等）を読み出す。そして、制御部１１は、通信部１６を介した責任者端末３との通信により責任者端末３と連携して、上記で読み出した画像データに基づいて作業員Ａの保有ライセンス画像を閲覧することが可能な新たなページを生成する処理、およびこのページをタッチ式表示部３５に表示させるための表示制御、を実行する（ステップＳ１１２）。
【００９４】
ステップＳ１１２の制御で現場責任者が作業員Ａの保有ライセンス画像を閲覧可能な状態において（ステップＳ１１３，Ｎｏ）、現場責任者によって前のページ（トップページ）に戻る操作が行われた場合（ステップＳ１１３，Ｙｅｓ）、制御部１１は、再度、タッチ式表示部３５にトップページを表示させるための表示制御を行う（ステップＳ１０７）。
【００９５】
一方、ステップＳ１０７においてトップページを表示させるための表示制御を行った後、リンク：「ライセンス検索」へのタップ操作がなく（ステップＳ１０９，Ｎｏ）、現場責任者によってアプリ終了の操作が行われた場合（ステップＳ１１４，Ｙｅｓ）、制御部１１は、通信部１６を介した責任者端末３との通信により、「免許統合アプリ（現場責任者用）」を終了するための制御を行う（ステップＳ１１５）。なお、ステップＳ１０２により「免許統合アプリ（現場責任者用）」開始後、責任者端末３側で強制的に「免許統合アプリ（現場責任者用）」が終了された場合には、制御部１１は、その時点またはタイムアウト処理で「免許統合アプリ（現場責任者用）」を終了する。
【００９６】
このように、本実施例においては、管理装置１の制御部１１が、現場責任者が所有する責任者端末３からリンク：「ライセンス検索」がタップされた旨の通知を受け取った場合に、責任者情報ＤＢから現場責任者が管理する現場を読み出し、さらに、作業員情報ＤＢから現場責任者が管理する現場に配置されたすべての作業員名を読み出して作業員リストを生成し、責任者端末３の端末制御部３１と連携して、作業員リストをタッチ式表示部３５に表示させるための制御を行う。さらに、作業員リストの中から特定の作業員が選択された旨の通知を受け取った場合に、制御部１１は、作業員情報ＤＢから、選択された作業員の免許証の画像データを読み出し、責任者端末３の端末制御部３１と連携して、免許証の画像を責任者端末３のタッチ式表示部３５に表示させるための制御を行うこととした。これにより、実施例１における効果に加えて、さらに、現場責任者側からも、適切かつ容易に工事現場を管理することができる。
【００９７】
つづいて、本実施例の免許統合システムにおいて、責任者端末３および管理装置１を利用して実現可能な他の機能について説明する。
【００９８】
＜求人登録機能＞
トップページが表示された状態において（ステップＳ８７）、たとえば、現場責任者によってリンク：「求人登録」（後述する図１７に示すリンクを参照）がタップされた場合、端末制御部３１は、求人登録用の入力フォーマットをタッチ式表示部３５に表示させるための表示制御を実行する。この入力フォーマットは、「免許統合アプリ（現場責任者用）」において予め用意されているものとし、求人内容，建設会社，現場（勤務地），必要な資格，報酬，連絡先，備考（採用担当者名等）等の情報を含む求人情報が入力可能となる。その後、現場責任者によって入力操作が行われた場合に、端末制御部３１は、無線通信部３３経由でその内容を管理装置１に通知する。
【００９９】
一方、責任者端末３から通信部１６経由で求人情報を受け取った管理装置１の制御部１１は、その求人情報を図８に示す求人情報ＤＢに登録する。これにより、前述した「免許統合アプリ（作業員用）」による求人広告表示機能（実施例２参照）を実現することができる。なお、前述した実施例２では、一例として、作業員のリンク操作で求人広告を画面上に表示させていたが、これに限らず、管理装置１が、責任者端末３からの指示によって、または自主的に、作業員端末２のタッチ式表示部２５に求人広告を表示させることとしてもよい。これにより、作業員によるリンク操作を待つことなく、現場責任者の希望する採用人数（たとえば５０人）を迅速に確保することが可能となる。
【０１００】
＜災害検索機能＞
たとえば、「免許統合アプリ（現場責任者用）」および「免許統合アプリ（作業員用）」に災害入力機能を持たせる。具体的には、管理装置１の記憶部１２に災害情報ＤＢを設け、さらに、現場責任者および作業員が所有する端末（責任者端末３および作業員端末２）に災害入力機能を設け、現場で災害が発生した場合に、現場責任者および作業員による端末への入力操作によって、端末が、その災害内容を管理装置１に通知する。そして、災害内容を受け取った管理装置１の制御部１１は、ライセンス毎に災害内容を集計して、その災害内容を災害情報ＤＢに登録する。図１８は、災害情報ＤＢの構成例を示す図である。災害情報が災害情報ＤＢに蓄積されることにより、資格試験の実施機関に災害の集計結果を報告することが可能となり、災害の実状を、今後の資格試験や実習のあり方に反映させることが可能となる。
【０１０１】
＜現場確認機能＞
トップページが表示された状態において、たとえば、現場責任者によってリンク：「現場確認」（後述する図１７に示すリンクを参照）がタップされた場合、端末制御部３１は、その旨を無線通信部３３経由で管理装置１に通知する。その後、端末制御部３１は、管理装置１と連携して、現場のライセンス保有者の状況をタッチ式表示部３５に表示させるための表示制御を行う。
【０１０２】
一方、責任者端末３から通信部１６経由で現場確認の通知を受け取った管理装置１の制御部１１は、作業員情報ＤＢから、現場責任者が管理する現場に配置された作業員の名前およびその作業員が所有するライセンスの情報を読み出し、読み出した情報および作業員端末２から送られてくる位置情報に基づいて現場のライセンス保有者の状況を集計する。その後、制御部１１は、責任者端末３と連携して、現場のライセンス保有者の状況をタッチ式表示部３５に表示させるための表示制御を行う。
【０１０３】
図１９および図２０は、現場のライセンス保有者の状況を表す表示画面の一例を示す図である。たとえば、図１９には、特定のライセンスを保有する作業員の多いエリア（クレーン免許の多いエリア，ユンボ免許の多いエリア，溶接免許の多いエリア等）が仮想現場上に配置された画像、が表示されている。また、図２０には、現場に配置された作業員の位置がわかる画像、が表示され、たとえば、作業員をタップする等の操作で、この作業員が保有するライセンスを表示させることが可能である。上記のような現場確認機能を利用することにより、現場責任者は、現場におけるライセンスの偏在や作業員の配置バランス等を視覚的に把握することが可能となり、現場の再編成等の判断材料とすることができる。
【０１０４】
また、図２１は、現場のライセンス保有者の状況を表す表示画面の別の一例を示す図である。図２１では、たとえば、現場責任者が特定のライセンスを指定して、そのライセンスを保有している作業員と保有していない作業員の位置が、視覚的に把握できるように仮想現場上に表示されている。これにより、現場責任者は、ライセンス保有者が現場の適切な位置に配置されているか、を判断することが可能である。たとえば、図２１の例では、特定のライセンスを保有する作業員が近すぎて、現場の作業員全員を監督および指導できない状態（監督および指導の範囲（図示の円弧）を超えている作業員が存在する状態）であることがわかる。このような状況の場合、現場責任者は、状況を把握したうえで、たとえば、図２２に示すように、ライセンス保有者を適切な位置に再配置することが可能となる。
【０１０５】
＜ライセンス保有者検索機能＞
トップページが表示された状態において、たとえば、現場責任者によってリンク：「ライセンス保有者検索」（後述する図１７に示すリンクを参照）がタップされた場合、端末制御部３１は、カメラ部３７を制御してカメラを起動する。そして、現場責任者が現場の機械（クレーン，ユンボ，フォークリフト等）を撮影すると、端末制御部３は、撮影された機械に関するライセンスを所有する作業員のリスト（特定ライセンス所有作業員リスト）を要求する旨を無線通信部３３経由で管理装置１に通知する。その後、端末制御部３は、管理装置１と連携して、特定ライセンス所有作業員リストをタッチ式表示部３５に表示させるための表示制御を実行する。
【０１０６】
一方、責任者端末３から通信部１６経由で、特定ライセンス所有作業員リストを要求する旨の通知を受け取った管理装置１の制御部１１は、作業員情報ＤＢから、撮影された機械に関するライセンスを所有しかつ現場責任者が管理する現場に配置された作業員をすべて読み出し、特定ライセンス所有作業員リストを生成する。そして、制御部１１は、責任者端末３と連携して、生成した特定ライセンス所有作業員リストをタッチ式表示部３５に表示させるための表示制御を実行する。
【０１０７】
図２３は、ライセンス保有者検索処理の一例を示す図である。これにより、現場責任者は、現場に配置された作業員の中から、撮影した機械に関するライセンスを所有する作業員を容易に検索することができ、たとえば、現場責任者がこのリストから特定の作業員を選択する操作（タップ）を行った場合には、責任者端末３と管理装置１との連携により、選択された作業員が保有する免許証の画像を表示させることができ、さらには、その作業員に電話をかけることも可能である。
【０１０８】
＜簡易ライセンス検索機能＞
トップページが表示された状態において、たとえば、現場責任者によってリンク：「簡易ライセンス検索」（後述する図１７に示すリンクを参照）がタップされた場合、端末制御部３１は、無線通信部３３の近距離無線通信技術（Ｂｌｕｅｔｏｏｔｈ等）を利用して、周辺にいる作業員Ａの所有する作業員端末２（アプリ起動中）と通信を行うことにより作業員Ａの作業員ＩＤを取得し、その作業員ＩＤを管理装置１に通知する。そして、端末制御部３１は、管理装置１と連携して、作業員Ａの保有ライセンス画像（写真等）をタッチ式表示部３５に表示させるための表示制御を実行する。
【０１０９】
一方、責任者端末３から通信部１６経由で作業員ＩＤを受け取った管理装置１の制御部１１は、作業員情報ＤＢから、受け取った作業員ＩＤに対応する作業員Ａの保有ライセンス画像を読み出す。そして、制御部１１は、責任者端末３と連携して、作業員Ａの保有ライセンス画像をタッチ式表示部３５に表示させるための表示制御を実行する。
【０１１０】
図２４は、簡易ライセンス検索処理の一例を示す図である。これにより、現場責任者は、現場に配置された作業員の保有ライセンス画像を容易に検索することができる。
【０１１１】
＜元請担当者端末により実現可能な機能＞
なお、本願の開示する免許統合システムにおいては、作業員端末２が搭載する「免許統合アプリ（作業員用）」、責任者端末３が搭載する「免許統合アプリ（現場責任者用）」に加え、図示はしていないが元請担当者端末が「免許統合アプリ（元請担当者用）」を搭載することとしてもよい。元請担当者端末は、責任者端末３が「免許統合アプリ（現場責任者用）」により実現可能なすべての機能を、「免許統合アプリ（元請担当者用）」により実現可能である。また、責任者端末３においては、現場責任者が管理する現場に配置された作業員を対象として、各種機能が実現可能であるところ、元請担当者端末では、すべての下請け建設会社のすべての作業員を対象として、各種機能を実現することができる。
【０１１２】
また、元請担当者端末を所有する担当者は、管理装置１による情報の提供により、以下のように、下請けとなる建設会社を選定することができる。図２５は、管理装置１が提供する情報の一例を示す図であり、横軸は各建設会社におけるライセンスの種類を表し、縦軸はライセンスの数を表す。たとえば、管理装置１は、作業員情報ＤＢに登録されたライセンス情報に基づいて、建設会社単位に作業員が保有するライセンスを集計し、その集計結果を可視化したもの（図示の棒グラフ等）を参照情報として元請担当者端末の画面上に表示させる。これにより、元請担当者は、画面上の参照情報に基づいて、ライセンスのバランスのよい建設会社を下請けの建設会社として選定することができる。
【０１１３】
また、図２６は、管理装置１が提供する情報の一例を示す図であり、図２５とは異なる方法で下請けの建設会社を選定している。たとえば、一社で所望のライセンスの数および種類を満たすことができないような場合であっても、参照情報に基づいて複数の建設会社を選定することにより、条件を満たすことが可能となる。
【０１１４】
＜スマートフォンを持たない作業員の取り込み＞
なお、上記実施例１〜４においては、一例として、スマートフォンを持つ作業員，現場責任者，元請担当者を対象に、各種機能の説明を行った。しなしながら、少なからず、作業員の中には、スマートフォン等の携帯情報端末を持たない作業員もいる。このような場合を想定し、本実施例では、携帯情報端末を所有する作業員，現場責任者，元請担当者が代行して、または、携帯情報端末を持たない作業員が携帯情報端末を借りて、携帯情報端末を持たない作業員の作業員情報（ライセンス情報を含む）の入力処理を行い、その作業員情報を管理装置１の作業員情報ＤＢに登録する。図２７は、携帯情報端末を持たない作業員の作業員情報の登録方法の一例を示す図である。登録の際、管理装置１は、たとえば、携帯情報端末を持たない作業員に対して新たな作業員ＩＤを発行し、この作業員ＩＤと入力された作業員情報とを対応付けて作業員情報ＤＢに登録する。また、管理装置１は、携帯情報端末を持たない作業員に対して発行した作業員ＩＤに対応するＱＲコード（登録商標、以下注記を省略）を作成し、作業員情報を入力した携帯情報端末にそのＱＲコードを通知する。そして、ＱＲコードを受け取った携帯情報端末の所有者は、そのＱＲコードを印刷し、印刷されたＱＲコードを、携帯情報端末を持たない作業員のネームに貼りつける等、現場内においてそのＱＲコードを所持させる。これにより、携帯情報端末をかざしてＱＲコードを読み込むことが可能となり、携帯情報端末を持たない作業員についても管理装置１による本人確認が可能となるため、実施例１〜４に記載の各種機能が適用可能となる。
【符号の説明】
【０１１５】
１  管理装置
２  作業員端末
３  責任者端末
５  ネットワーク
１１  制御部
１２、２２、３２  記憶部
１３  入力部
１４  出力部
１５  表示部
１６  通信部
２１、３１  端末制御部
２３、３３  無線通信部
２４、３４  音声入出力部
２５、３５  タッチ式表示部
２６、３６  電源部
２７、３７  カメラ部
【図１】
2017107400.tif 000003
【図２】
2017107400.tif 000004
【図３】
2017107400.tif 000005
【図４−１】
2017107400.tif 000006
【図４−２】
2017107400.tif 000007
【図５】
2017107400.tif 000008
【図６】
2017107400.tif 000009
【図７−１】
2017107400.tif 000010
【図７−２】
2017107400.tif 000011
【図８】
2017107400.tif 000012
【図９】
2017107400.tif 000013
【図１０−１】
2017107400.tif 000014
【図１０−２】
2017107400.tif 000015
【図１１】
2017107400.tif 000016
【図１２】
2017107400.tif 000017
【図１３】
2017107400.tif 000018
【図１４】
2017107400.tif 000019
【図１５−１】
2017107400.tif 000020
【図１５−２】
2017107400.tif 000021
【図１６】
2017107400.tif 000022
【図１７】
2017107400.tif 000023
【図１８】
2017107400.tif 000024
【図１９】
2017107400.tif 000025
【図２０】
2017107400.tif 000026
【図２１】
2017107400.tif 000027
【図２２】
2017107400.tif 000028
【図２３】
2017107400.tif 000029
【図２４】
2017107400.tif 000030
【図２５】
2017107400.tif 000031
【図２６】
2017107400.tif 000032
【図２７】
2017107400.tif 000033
【手続補正書】
【提出日】平成29年3月24日(2017.3.24)
【手続補正１】
【補正対象書類名】特許請求の範囲
【補正対象項目名】全文
【補正方法】変更
【補正の内容】
【特許請求の範囲】
【請求項１】
複数の無線端末装置と、作業員を特定するための情報である作業員情報を管理する管理装置とを有し、前記無線端末装置と前記管理装置が無線ネットワークを介して相互に通信可能な免許統合システムにおいて、
前記管理装置が、作業員が保有する単一または複数の免許証の画像データを含む前記作業員情報が作業員毎に記憶された作業員情報ＤＢと、求人に応募するために必要な資格の情報である資格情報を含む求人情報が記憶された求人情報ＤＢと、前記無線端末装置との通信により当該無線端末装置のディスプレイに所望の画面を表示させるための制御を行う制御部と、を備え、
前記無線端末装置が、前記ディスプレイである表示部と、前記管理装置との通信により前記表示部に所望の画面を表示させるための制御を行う端末制御部と、を備え、
前記制御部は、
作業員が所有する前記無線端末装置の１つ（以後、免許表示依頼端末と呼ぶ）から免許証の画像の表示を要求する旨の通知を受け取った場合に、前記作業員情報ＤＢから前記免許表示依頼端末を所有する作業員の免許証の画像データを読み出し、
前記読み出した画像データに基づいて免許証の画像を前記免許表示依頼端末の表示部に表示させるための制御を、前記免許表示依頼端末の端末制御部と連携して行い、
さらに、前記制御部は、
作業員が所有する前記無線端末装置の１つ（以後、求人表示依頼端末と呼ぶ）から求人の表示を要求する旨の通知を受け取った場合に、前記作業員情報ＤＢから前記求人表示依頼端末を所有する作業員が保有する免許証の情報を読み出し、保有免許証のリストを生成し、さらに、当該保有免許証のリストと前記求人情報ＤＢに記憶された求人情報に含まれた資格情報とを求人毎に比較し、比較結果に基づいて現時点において応募可能な求人を抽出し、
前記抽出した求人を前記求人表示依頼端末の表示部に表示させるための制御を、前記求人表示依頼端末の端末制御部と連携して行う、
ことを特徴とする免許統合システム。
【請求項２】
前記作業員情報ＤＢに、作業員が解いた過去問の情報を解答履歴として蓄積する記憶領域を設けることとし、前記管理装置が、さらに、資格試験毎に複数の過去問と過去問の正解が対応付けられた状態で記憶された過去問ＤＢを備えることとし、
前記制御部は、
作業員が所有する前記無線端末装置の１つ（以後、過去問表示依頼端末と呼ぶ）から特定の資格試験の過去問の表示を要求する旨の通知を受け取った場合に、前記作業員情報ＤＢから前記過去問表示依頼端末を所有する作業員の解答履歴を読み出し、さらに、当該解答履歴に基づいて前記過去問ＤＢから作業員が未解答の過去問を読み出し、
前記読み出した過去問を前記過去問表示依頼端末の表示部に表示させるための制御を、前記過去問表示依頼端末の端末制御部と連携して行い、
さらに、前記過去問表示依頼端末から作業員の出した解答を受け取った場合に、前記過去問ＤＢから過去問の正解を読み出し、当該正解と作業員の出した解答とを比較することにより作業員の出した解答の正誤を判断し、
正誤判断結果および正解を前記過去問表示依頼端末の表示部に表示させるための制御を、前記過去問表示依頼端末の端末制御部と連携して行い、
その後、前記過去問ＤＢから読み出す過去問を順次更新しながら、過去問を表示させるための制御を継続し、前記過去問表示依頼端末から当該継続を中止する旨の通知を受け取った場合に、作業員が解いた過去問の情報を前記解答履歴として前記作業員情報ＤＢに蓄積し、過去問を表示させるための制御を終了する、
ことを特徴とする請求項１に記載の免許統合システム。
【請求項３】
複数の無線端末装置と、作業員を特定するための情報である作業員情報を管理する管理装置とを有し、前記無線端末装置と前記管理装置が無線ネットワークを介して相互に通信可能な免許統合システムにおいて、
前記管理装置が、作業員が保有する単一または複数の免許証の画像データを含む前記作業員情報が作業員毎に記憶された作業員情報ＤＢと、資格試験毎に複数の過去問と過去問の正解が対応付けられた状態で記憶された過去問ＤＢと、前記無線端末装置との通信により当該無線端末装置のディスプレイに所望の画面を表示させるための制御を行う制御部と、を備え、さらに、前記作業員情報ＤＢに、作業員が解いた過去問の情報を解答履歴として蓄積する記憶領域を設けることとし、
前記無線端末装置が、前記ディスプレイである表示部と、前記管理装置との通信により前記表示部に所望の画面を表示させるための制御を行う端末制御部と、を備え、
前記制御部は、
作業員が所有する前記無線端末装置の１つ（以後、免許表示依頼端末と呼ぶ）から免許証の画像の表示を要求する旨の通知を受け取った場合に、前記作業員情報ＤＢから前記免許表示依頼端末を所有する作業員の免許証の画像データを読み出し、
前記読み出した画像データに基づいて免許証の画像を前記免許表示依頼端末の表示部に表示させるための制御を、前記免許表示依頼端末の端末制御部と連携して行い、
さらに、前記制御部は、
作業員が所有する前記無線端末装置の１つ（以後、過去問表示依頼端末と呼ぶ）から特定の資格試験の過去問の表示を要求する旨の通知を受け取った場合に、前記作業員情報ＤＢから前記過去問表示依頼端末を所有する作業員の解答履歴を読み出し、さらに、当該解答履歴に基づいて前記過去問ＤＢから作業員が未解答の過去問を読み出し、
前記読み出した過去問を前記過去問表示依頼端末の表示部に表示させるための制御を、前記過去問表示依頼端末の端末制御部と連携して行い、
さらに、前記過去問表示依頼端末から作業員の出した解答を受け取った場合に、前記過去問ＤＢから過去問の正解を読み出し、当該正解と作業員の出した解答とを比較することにより作業員の出した解答の正誤を判断し、
正誤判断結果および正解を前記過去問表示依頼端末の表示部に表示させるための制御を、前記過去問表示依頼端末の端末制御部と連携して行い、
その後、前記過去問ＤＢから読み出す過去問を順次更新しながら、過去問を表示させるための制御を継続し、前記過去問表示依頼端末から当該継続を中止する旨の通知を受け取った場合に、作業員が解いた過去問の情報を前記解答履歴として前記作業員情報ＤＢに蓄積し、過去問を表示させるための制御を終了する、
ことを特徴とする免許統合システム。
【請求項４】
前記管理装置が、さらに、現場責任者を特定するための情報である責任者情報が責任者毎に記憶された責任者情報ＤＢを備え、
前記制御部は、
現場責任者が所有する前記無線端末装置の１つ（以後、免許検索依頼端末と呼ぶ）からライセンス検索を要求する旨の通知を受け取った場合に、前記責任者情報ＤＢから前記現場責任者が管理する現場を読み出し、さらに、前記作業員情報ＤＢから前記現場責任者が管理する現場に配置されたすべての作業員名を読み出して作業員リストを生成し、
前記作業員リストを前記免許検索依頼端末の表示部に表示させるための制御を、前記免許検索依頼端末の端末制御部と連携して行い、
さらに、前記作業員リストの中から特定の作業員が選択された旨の通知を受け取った場合に、前記作業員情報ＤＢから、選択された作業員の免許証の画像データを読み出し、
前記読み出した画像データに基づいて免許証の画像を前記免許検索依頼端末の表示部に表示させるための制御を、前記免許検索依頼端末の端末制御部と連携して行う、
ことを特徴とする請求項１、２または３に記載の免許統合システム。
【請求項５】
複数の無線端末装置と管理装置が無線ネットワークを介して相互に通信可能な免許統合システムにおいて、作業員を特定するための情報である作業員情報を管理する前記管理装置であって、
作業員が保有する単一または複数の免許証の画像データを含む前記作業員情報が作業員毎に記憶された作業員情報ＤＢと、
求人に応募するために必要な資格の情報である資格情報を含む求人情報が記憶された求人情報ＤＢと、
前記無線端末装置との通信により当該無線端末装置のディスプレイに所望の画面を表示させるための制御を行う制御部と、
を備え、
前記制御部は、
作業員が所有する前記無線端末装置の１つ（以後、免許表示依頼端末と呼ぶ）から免許証の画像の表示を要求する旨の通知を受け取った場合に、前記作業員情報ＤＢから前記免許表示依頼端末を所有する作業員の免許証の画像データを読み出し、
前記読み出した画像データに基づいて免許証の画像を前記免許表示依頼端末のディスプレイに表示させるための制御を、前記免許表示依頼端末と連携して行い、
さらに、前記制御部は、
作業員が所有する前記無線端末装置の１つ（以後、求人表示依頼端末と呼ぶ）から求人の表示を要求する旨の通知を受け取った場合に、前記作業員情報ＤＢから前記求人表示依頼端末を所有する作業員が保有する免許証の情報を読み出し、保有免許証のリストを生成し、さらに、当該保有免許証のリストと前記求人情報ＤＢに記憶された求人情報に含まれた資格情報とを求人毎に比較し、比較結果に基づいて現時点において応募可能な求人を抽出し、
前記抽出した求人を前記求人表示依頼端末のディスプレイに表示させるための制御を、前記求人表示依頼端末と連携して行う、
ことを特徴とする管理装置。
【請求項６】
前記作業員情報ＤＢに、作業員が解いた過去問の情報を解答履歴として蓄積する記憶領域を設け、
資格試験毎に複数の過去問と過去問の正解が対応付けられた状態で記憶された過去問ＤＢをさらに備え、
前記制御部は、
作業員が所有する前記無線端末装置の１つ（以後、過去問表示依頼端末と呼ぶ）から特定の資格試験の過去問の表示を要求する旨の通知を受け取った場合に、前記作業員情報ＤＢから前記過去問表示依頼端末を所有する作業員の解答履歴を読み出し、さらに、当該解答履歴に基づいて前記過去問ＤＢから作業員が未解答の過去問を読み出し、
前記読み出した過去問を前記過去問表示依頼端末のディスプレイに表示させるための制御を、前記過去問表示依頼端末と連携して行い、
さらに、前記過去問表示依頼端末から作業員の出した解答を受け取った場合に、前記過去問ＤＢから過去問の正解を読み出し、当該正解と作業員の出した解答とを比較することにより作業員の出した解答の正誤を判断し、
正誤判断結果および正解を前記過去問表示依頼端末の表示部に表示させるための制御を、前記過去問表示依頼端末と連携して行い、
その後、前記過去問ＤＢから読み出す過去問を順次更新しながら、過去問を表示させるための制御を継続し、前記過去問表示依頼端末から当該継続を中止する旨の通知を受け取った場合に、作業員が解いた過去問の情報を前記解答履歴として前記作業員情報ＤＢに蓄積し、過去問を表示させるための制御を終了する、
ことを特徴とする請求項５に記載の管理装置。
【請求項７】
複数の無線端末装置と管理装置が無線ネットワークを介して相互に通信可能な免許統合システムにおいて、作業員を特定するための情報である作業員情報を管理する前記管理装置であって、
作業員が保有する単一または複数の免許証の画像データを含む前記作業員情報が作業員毎に記憶された作業員情報ＤＢと、
資格試験毎に複数の過去問と過去問の正解が対応付けられた状態で記憶された過去問ＤＢと、
前記無線端末装置との通信により当該無線端末装置のディスプレイに所望の画面を表示させるための制御を行う制御部と、
を備え、
さらに、前記作業員情報ＤＢに、作業員が解いた過去問の情報を解答履歴として蓄積する記憶領域を設けることとし、
前記制御部は、
作業員が所有する前記無線端末装置の１つ（以後、免許表示依頼端末と呼ぶ）から免許証の画像の表示を要求する旨の通知を受け取った場合に、前記作業員情報ＤＢから前記免許表示依頼端末を所有する作業員の免許証の画像データを読み出し、
前記読み出した画像データに基づいて免許証の画像を前記免許表示依頼端末のディスプレイに表示させるための制御を、前記免許表示依頼端末と連携して行い、
さらに、前記制御部は、
作業員が所有する前記無線端末装置の１つ（以後、過去問表示依頼端末と呼ぶ）から特定の資格試験の過去問の表示を要求する旨の通知を受け取った場合に、前記作業員情報ＤＢから前記過去問表示依頼端末を所有する作業員の解答履歴を読み出し、さらに、当該解答履歴に基づいて前記過去問ＤＢから作業員が未解答の過去問を読み出し、
前記読み出した過去問を前記過去問表示依頼端末のディスプレイに表示させるための制御を、前記過去問表示依頼端末と連携して行い、
さらに、前記過去問表示依頼端末から作業員の出した解答を受け取った場合に、前記過去問ＤＢから過去問の正解を読み出し、当該正解と作業員の出した解答とを比較することにより作業員の出した解答の正誤を判断し、
正誤判断結果および正解を前記過去問表示依頼端末の表示部に表示させるための制御を、前記過去問表示依頼端末と連携して行い、
その後、前記過去問ＤＢから読み出す過去問を順次更新しながら、過去問を表示させるための制御を継続し、前記過去問表示依頼端末から当該継続を中止する旨の通知を受け取った場合に、作業員が解いた過去問の情報を前記解答履歴として前記作業員情報ＤＢに蓄積し、過去問を表示させるための制御を終了する、
ことを特徴とする管理装置。
【請求項８】
現場責任者を特定するための情報である責任者情報が責任者毎に記憶された責任者情報ＤＢ、
をさらに備え、
前記制御部は、
現場責任者が所有する前記無線端末装置の１つ（以後、免許検索依頼端末と呼ぶ）からライセンス検索を要求する旨の通知を受け取った場合に、前記責任者情報ＤＢから前記現場責任者が管理する現場を読み出し、さらに、前記作業員情報ＤＢから前記現場責任者が管理する現場に配置されたすべての作業員名を読み出して作業員リストを生成し、
前記作業員リストを前記免許検索依頼端末のディスプレイに表示させるための制御を、前記免許検索依頼端末と連携して行い、
さらに、前記作業員リストの中から特定の作業員が選択された旨の通知を受け取った場合に、前記作業員情報ＤＢから、選択された作業員の免許証の画像データを読み出し、
前記読み出した画像データに基づいて免許証の画像を前記免許検索依頼端末のディスプレイに表示させるための制御を、前記免許検索依頼端末と連携して行う、
ことを特徴とする請求項５、６または７に記載の管理装置。
【請求項９】
請求項１に記載の免許統合システムにおいて、作業員が所有する免許表示依頼端末および求人表示依頼端末、として動作する、
ことを特徴とする無線端末装置。
【請求項１０】
請求項２に記載の免許統合システムにおいて、作業員が所有する免許表示依頼端末、求人表示依頼端末および過去問表示依頼端末、として動作する、
ことを特徴とする無線端末装置。
【請求項１１】
請求項３に記載の免許統合システムにおいて、作業員が所有する免許表示依頼端末および過去問表示依頼端末、として動作する、
ことを特徴とする無線端末装置。
【請求項１２】
請求項４に記載の免許統合システムにおいて、現場責任者が所有する免許検索依頼端末として動作する、
ことを特徴とする無線端末装置。
【請求項１３】
複数の無線端末装置と、作業員を特定するための情報である作業員情報を管理する管理装置とを有し、前記無線端末装置と前記管理装置が無線ネットワークを介して相互に通信可能な免許統合システムにおける免許統合方法であって、
前記管理装置が、作業員が保有する単一または複数の免許証の画像データを含む前記作業員情報が作業員毎に記憶された作業員情報ＤＢと、求人に応募するために必要な資格の情報である資格情報を含む求人情報が記憶された求人情報ＤＢと、を備える場合において、
前記管理装置が、作業員が所有する前記無線端末装置の１つ（以後、免許表示依頼端末と呼ぶ）から免許証の画像の表示を要求する旨の通知を受け取った場合に、前記作業員情報ＤＢから前記免許表示依頼端末を所有する作業員の免許証の画像データを読み出す免許証画像データ読み出しステップと、
前記管理装置と前記免許表示依頼端末が相互の通信により連携して、前記免許証画像データ読み出しステップにおいて読み出された画像データに基づいて免許証の画像を前記免許表示依頼端末のディスプレイに表示させるための制御を行う免許証表示ステップと、
前記管理装置が、作業員が所有する前記無線端末装置の１つ（以後、求人表示依頼端末と呼ぶ）から求人の表示を要求する旨の通知を受け取った場合に、前記作業員情報ＤＢから前記求人表示依頼端末を所有する作業員が保有する免許証の情報を読み出し、保有免許証のリストを生成し、さらに、当該保有免許証のリストと前記求人情報ＤＢに記憶された求人情報に含まれた資格情報とを求人毎に比較し、比較結果に基づいて現時点において応募可能な求人を抽出する求人抽出ステップと、
前記管理装置と前記求人表示依頼端末が相互の通信により連携して、前記求人抽出ステップにおいて抽出された求人を前記求人表示依頼端末のディスプレイに表示させるための制御を行う求人表示ステップと、
を含むことを特徴とする免許統合方法。
【請求項１４】
前記作業員情報ＤＢに、作業員が解いた過去問の情報を解答履歴として蓄積する記憶領域を設け、前記管理装置が、さらに、資格試験毎に複数の過去問と過去問の正解が対応付けられた状態で記憶された過去問ＤＢを備える場合において、
前記管理装置が、作業員が所有する前記無線端末装置の１つ（以後、過去問表示依頼端末と呼ぶ）から特定の資格試験の過去問の表示を要求する旨の通知を受け取った場合に、前記作業員情報ＤＢから前記過去問表示依頼端末を所有する作業員の解答履歴を読み出し、さらに、当該解答履歴に基づいて前記過去問ＤＢから作業員が未解答の過去問を読み出す過去問読み出しステップと、
前記管理装置と前記過去問表示依頼端末が相互の通信により連携して、前記過去問読み出しステップにおいて読み出された過去問を前記過去問表示依頼端末のディスプレイに表示させるための制御を行う過去問表示ステップと、
前記管理装置が、前記過去問表示依頼端末から作業員の出した解答を受け取った場合に、前記過去問ＤＢから過去問の正解を読み出し、当該正解と作業員の出した解答とを比較することにより作業員の出した解答の正誤を判断する正誤判断ステップと、
前記管理装置と前記過去問表示依頼端末が相互の通信により連携して、前記正誤判断ステップにおける正誤判断結果および正解を前記過去問表示依頼端末のディスプレイに表示させるための制御を行う解答表示ステップと、
を含み、
前記各ステップを実行後、前記過去問ＤＢから読み出す過去問を順次更新しながら、過去問を表示させるための制御を継続し、前記管理装置が、前記過去問表示依頼端末から当該継続を中止する旨の通知を受け取った場合に、作業員が解いた過去問の情報を前記解答履歴として前記作業員情報ＤＢに蓄積し、過去問を表示させるための制御を終了する、
ことを特徴とする請求項１３に記載の免許統合方法。
【請求項１５】
複数の無線端末装置と、作業員を特定するための情報である作業員情報を管理する管理装置とを有し、前記無線端末装置と前記管理装置が無線ネットワークを介して相互に通信可能な免許統合システムにおける免許統合方法であって、
前記管理装置が、作業員が保有する単一または複数の免許証の画像データを含む前記作業員情報が作業員毎に記憶された作業員情報ＤＢと、資格試験毎に複数の過去問と過去問の正解が対応付けられた状態で記憶された過去問ＤＢと、を備え、さらに、前記作業員情報ＤＢに、作業員が解いた過去問の情報を解答履歴として蓄積する記憶領域を設ける場合において、
前記管理装置が、作業員が所有する前記無線端末装置の１つ（以後、免許表示依頼端末と呼ぶ）から免許証の画像の表示を要求する旨の通知を受け取った場合に、前記作業員情報ＤＢから前記免許表示依頼端末を所有する作業員の免許証の画像データを読み出す免許証画像データ読み出しステップと、
前記管理装置と前記免許表示依頼端末が相互の通信により連携して、前記免許証画像データ読み出しステップにおいて読み出された画像データに基づいて免許証の画像を前記免許表示依頼端末のディスプレイに表示させるための制御を行う免許証表示ステップと、
前記管理装置が、作業員が所有する前記無線端末装置の１つ（以後、過去問表示依頼端末と呼ぶ）から特定の資格試験の過去問の表示を要求する旨の通知を受け取った場合に、前記作業員情報ＤＢから前記過去問表示依頼端末を所有する作業員の解答履歴を読み出し、さらに、当該解答履歴に基づいて前記過去問ＤＢから作業員が未解答の過去問を読み出す過去問読み出しステップと、
前記管理装置と前記過去問表示依頼端末が相互の通信により連携して、前記過去問読み出しステップにおいて読み出された過去問を前記過去問表示依頼端末のディスプレイに表示させるための制御を行う過去問表示ステップと、
前記管理装置が、前記過去問表示依頼端末から作業員の出した解答を受け取った場合に、前記過去問ＤＢから過去問の正解を読み出し、当該正解と作業員の出した解答とを比較することにより作業員の出した解答の正誤を判断する正誤判断ステップと、
前記管理装置と前記過去問表示依頼端末が相互の通信により連携して、前記正誤判断ステップにおける正誤判断結果および正解を前記過去問表示依頼端末のディスプレイに表示させるための制御を行う解答表示ステップと、
を含み、
前記過去問読み出しステップから前記解答表示ステップまでの処理を実行後、前記過去問ＤＢから読み出す過去問を順次更新しながら、過去問を表示させるための制御を継続し、前記管理装置が、前記過去問表示依頼端末から当該継続を中止する旨の通知を受け取った場合に、作業員が解いた過去問の情報を前記解答履歴として前記作業員情報ＤＢに蓄積し、過去問を表示させるための制御を終了する、
ことを特徴とする免許統合方法。
【請求項１６】
前記管理装置が、さらに、現場責任者を特定するための情報である責任者情報が責任者毎に記憶された責任者情報ＤＢ、を備える場合において、
前記管理装置が、現場責任者が所有する前記無線端末装置の１つ（以後、免許検索依頼端末と呼ぶ）からライセンス検索を要求する旨の通知を受け取った場合に、前記責任者情報ＤＢから前記現場責任者が管理する現場を読み出し、さらに、前記作業員情報ＤＢから前記現場責任者が管理する現場に配置されたすべての作業員名を読み出して作業員リストを生成する作業員リスト生成ステップと、
前記管理装置と前記免許検索依頼端末が相互の通信により連携して、前記作業員リストを前記免許検索依頼端末のディスプレイに表示させるための制御を行う作業員リスト表示ステップと、
前記作業員リストの中から特定の作業員が選択された旨の通知を受け取った場合に、前記作業員情報ＤＢから、選択された作業員の免許証の画像データを読み出す免許検索読み出しステップと、
前記管理装置と前記免許検索依頼端末が相互の通信により連携して、前記免許検索読み出しステップにおいて読み出された画像データに基づいて免許証の画像を前記免許検索依頼端末のディスプレイに表示させるための制御を行う免許検索表示ステップと、
を含むことを特徴とする請求項１３、１４または１５に記載の免許統合方法。
【手続補正２】
【補正対象書類名】明細書
【補正対象項目名】０００９
【補正方法】変更
【補正の内容】
【０００９】
上述した課題を解決し、目的を達成するために、本願の開示によれば、複数の無線端末装置と、作業員を特定するための情報である作業員情報を管理する管理装置とを有し、前記無線端末装置と前記管理装置が無線ネットワークを介して相互に通信可能な免許統合システムにおいて、前記管理装置が、作業員が保有する単一または複数の免許証の画像データを含む前記作業員情報が作業員毎に記憶された作業員情報ＤＢと、求人に応募するために必要な資格の情報である資格情報を含む求人情報が記憶された求人情報ＤＢと、前記無線端末装置との通信により当該無線端末装置のディスプレイに所望の画面を表示させるための制御を行う制御部と、を備え、前記無線端末装置が、前記ディスプレイである表示部と、前記管理装置との通信により前記表示部に所望の画面を表示させるための制御を行う端末制御部と、を備え、前記制御部は、作業員が所有する前記無線端末装置の１つ（免許表示依頼端末）から免許証の画像の表示を要求する旨の通知を受け取った場合に、前記作業員情報ＤＢから前記免許表示依頼端末を所有する作業員の免許証の画像データを読み出し、前記読み出した画像データに基づいて免許証の画像を前記免許表示依頼端末の表示部に表示させるための制御を、前記免許表示依頼端末の端末制御部と連携して行い、さらに、前記制御部は、作業員が所有する前記無線端末装置の１つ（求人表示依頼端末）から求人の表示を要求する旨の通知を受け取った場合に、前記作業員情報ＤＢから前記求人表示依頼端末を所有する作業員が保有する免許証の情報を読み出し、保有免許証のリストを生成し、さらに、当該保有免許証のリストと前記求人情報ＤＢに記憶された求人情報に含まれた資格情報とを求人毎に比較し、比較結果に基づいて現時点において応募可能な求人を抽出し、前記抽出した求人を前記求人表示依頼端末の表示部に表示させるための制御を、前記求人表示依頼端末の端末制御部と連携して行う、ことを特徴とする。